(57)【要約】【課題】より簡単な操作によって、使用者の毛髪をストレート形状やカール形状に施術可能な使い勝手のよりよいヘアーアイロンおよびその使用方法を提供する。【解決手段】ヘアーアイロン１０は、第１の毛髪挟持面３６ａを有する第１の毛髪巻付部３０と、第１の毛髪挟持面３６ａに対向する第２の毛髪挟持面４６ａを有する第２の毛髪巻付部４０と、を備えている。そして、第１の毛髪巻付部３０と第２の毛髪巻付部４０とを閉じた状態において、第１の毛髪挟持面３６ａと第２の毛髪挟持面４６ａとの間に所定の間隔ｄを有するように構成した。【選択図】図９
2015104448.tif 000002
【特許請求の範囲】
【請求項１】
第１の毛髪挟持面と略円弧状の第１の外周部とを有する第１の毛髪巻付部と、前記第１の毛髪挟持面に対向する第２の毛髪挟持面と略円弧状の第２の外周部とを有する第２の毛髪巻付部と、前記第１の毛髪挟持面と前記第２の毛髪挟持面との距離が相対的に変化するように前記第１の毛髪巻付部と前記第２の毛髪巻付部とを相対移動させる操作部と、を備え、対向する前記第１の毛髪挟持面と前記第２の毛髪挟持面との間に毛髪を狭持することで使用者の毛髪をストレート状またはカール状に施術するヘアーアイロンであって、
前記第１の毛髪巻付部と前記第２の毛髪巻付部とを閉じた状態において、前記第１の毛髪挟持面と前記第２の毛髪挟持面との間に所定の間隔を有するように構成されていることを特徴とするヘアーアイロン。
【請求項２】
前記第１の毛髪巻付部と前記第２の毛髪巻付部とを閉じた状態において、前記第１の毛髪挟持面と前記第２の毛髪挟持面との間に所定の間隔を有するように前記第１の毛髪巻付部と前記第２の毛髪巻付部とが閉じる方向への相対移動を規制する規制部が形成されていることを特徴とする請求項１に記載のヘアーアイロン。
【請求項３】
前記規制部が、前記第１の毛髪巻付部および前記第２の毛髪巻付部のうち少なくともいずれか一方から他方側に突出する規制リブであることを特徴とする請求項２に記載のヘアーアイロン。
【請求項４】
前記第１の毛髪巻付部および前記第２の毛髪巻付部のうち少なくともいずれか一方に、前記所定の間隔を調整する調整機構が形成されていることを特徴とする請求項１〜３のうちいずれか１項に記載のヘアーアイロン。
【請求項５】
前記調整機構が前記規制部を兼ねていることを特徴とする請求項４に記載のヘアーアイロン。
【請求項６】
前記調整機構は、前記第１の毛髪挟持面および前記第２の毛髪挟持面の長手方向の少なくとも一方に設けられていることを特徴とする請求項４または請求項５に記載のヘアーアイロン。
【請求項７】
前記第１の毛髪挟持面および前記第２の毛髪挟持面が平坦部を有することを特徴とする請求項１〜６のうちいずれか１項に記載のヘアーアイロン。
【請求項８】
前記第１の毛髪挟持面の全面と前記第２の毛髪挟持面の全面との間に前記所定の間隔が形成されていることを特徴とする請求項１〜７のうちいずれか１項に記載のヘアーアイロン。
【請求項９】
前記第１の毛髪巻付部および前記第２の毛髪巻付部は、前記第１の毛髪挟持面および前記第２の毛髪挟持面の短手方向の両端に、前記第１の毛髪挟持面および前記第２の毛髪挟持面の長手方向に沿って配設されるとともに、前記第１の毛髪挟持面および前記第２の毛髪挟持面の長手方向に沿って視た断面がＲ形状に形成された第１の毛髪狭持部および第２の毛髪挟持部をそれぞれ備え、
前記第１の毛髪狭持部および前記第２の毛髪挟持部のＲ形状は、前記第１の毛髪挟持面および前記第２の毛髪挟持面の長手方向の一方から他方にかけて曲率が変化するように形成されていることを特徴とする請求項１〜８のうちいずれか１項に記載のヘアーアイロン。
【請求項１０】
前記第１の毛髪狭持部のＲ形状は、前記長手方向において前記第１の毛髪巻付部の先端側から根元側に向けて曲率が大きくなるように形成されており、
前記第２の毛髪狭持部のＲ形状は、前記長手方向において前記第２の毛髪巻付部の先端側から根元側に向けて曲率が大きくなるように形成されていることを特徴とする請求項９に記載のヘアーアイロン。
【請求項１１】
前記第１の毛髪巻付部および前記第２の毛髪巻付部のうち少なくともいずれか一方には、当該毛髪巻付部の毛髪狭持面の短手方向の両端をそれぞれフロート可能とするフロート機構が形成されていることを特徴とする請求項１〜１０のうちいずれか１項に記載のヘアーアイロン。
【請求項１２】
把持部の端部に連設された一対の毛髪巻付部を有し、前記一対の毛髪巻付部は、互いに対向する一対の毛髪狭持面を持つ外周部が略円形形状に形成されており、前記一対の毛髪巻付部を相対移動させる操作部を備えるヘアーアイロンの使用方法であって、
使用者が前記把持部を把持する把持ステップと、
前記使用者が前記操作部を操作して一対の毛髪狭持面を離間させる離間ステップと、
離間した前記一対の毛髪挟持面の間に毛髪を介在させる毛髪介在ステップと、
対向する前記一対の毛髪挟持面の間に毛髪を狭持させる毛髪挟持ステップと、
毛髪を前記一対の毛髪挟持面の間に狭持させた状態で、挟持された部位以外の毛髪を前記一対の毛髪巻付部の外周部に螺旋状に巻き付ける毛髪巻付ステップと、
毛髪を前記一対の毛髪挟持面の間に狭持しつつ前記外周部に巻き付けた状態で、毛髪が前記一対の毛髪挟持面の間および前記外周部を滑るように、前記ヘアーアイロンを毛髪の先端側に引き下ろすことで、毛髪にカール状の施術を施す引き下ろしステップと、
を備えることを特徴とするヘアーアイロンの使用方法。
【請求項１３】
前記一対の毛髪巻付部の先端側には、前記使用者がつまむことで前記一対の毛髪巻付部の離間を規制するつまみ部が形成されており、
前記引き下ろしステップにおいて、前記使用者が前記つまみ部をつまんだ状態で前記ヘアーアイロンを毛髪の先端側に引き下ろすことを特徴とする請求項１２に記載のヘアーアイロンの使用方法。
【発明の詳細な説明】
【技術分野】
【０００１】
本発明は、使用者の毛髪をストレート形状やカール形状に施術するヘアーアイロンおよびその使用方法に関する。
【背景技術】
【０００２】
従来、この種のヘアーアイロンとして、二分割された略円形形状の毛髪巻付部と、一方の毛髪巻付部の形状に合わせた円弧状の押え板と、一対の毛髪巻付部を離間させる操作部と、を備えるものが知られている（例えば、特許文献１参照）。
【０００３】
この特許文献１では、操作部を操作して一対の毛髪巻付部を離間させた状態で一対の毛髪狭時面の間に毛髪を挟み、かかる状態で操作部を戻すことで、使用者の毛髪をストレート形状に施術するようになっている。
【０００４】
一方、一対の毛髪巻付部を閉じた状態で毛髪巻付部の外周面に毛髪を巻きつけることで使用者の毛髪をカール形状に施術するようになっている。このとき、毛髪巻付部の外周面にブリスルを配設することで、使用者の毛髪をカール形状に施術し易くしている。
【先行技術文献】
【特許文献】
【０００５】
【特許文献１】特開２００７−２６００５９号公報
【発明の概要】
【発明が解決しようとする課題】
【０００６】
前記従来の構成では、ブリスルが配設された毛髪巻付部に毛髪を巻付けるだけで使用者の毛髪をカール形状に施術できるようにしているが、この毛髪巻付部は、毛髪の毛先の保持力を有していない。そのため、毛髪巻付部に毛髪を単に巻付けるだけでは、施術時に毛先が抜けてしまい、毛髪を毛髪巻付部に巻付けにくいという課題を有していた。
【０００７】
また、円周方向鉛直に張り出した同心円形状のブリスルにより、カール形状に施術する際に必要となる毛髪の螺旋軌道を確保することが難しいという問題点があった。
【０００８】
本発明は、前記従来の課題を解決するもので、より簡単な操作によって、使用者の毛髪をストレート形状やカール形状に施術可能な使い勝手のよりよいヘアーアイロンおよびその使用方法を提供することを目的とする。
【課題を解決するための手段】
【０００９】
前記従来の課題を解決するために、本発明のヘアーアイロンは、第１の毛髪挟持面と略円弧状の第１の外周部とを有する第１の毛髪巻付部と、前記第１の毛髪挟持面に対向する第２の毛髪挟持面と略円弧状の第２の外周部とを有する第２の毛髪巻付部と、前記第１の毛髪挟持面と前記第２の毛髪挟持面との距離が相対的に変化するように前記第１の毛髪巻付部と前記第２の毛髪巻付部とを相対移動させる操作部と、を備え、対向する前記第１の毛髪挟持面と前記第２の毛髪挟持面との間に毛髪を狭持することで使用者の毛髪をストレート状またはカール状に施術するヘアーアイロンであって、前記第１の毛髪巻付部と前記第２の毛髪巻付部とを閉じた状態において、前記第１の毛髪挟持面と前記第２の毛髪挟持面との間に所定の間隔を有するように構成されているものである。
【００１０】
これによれば、所定の間隔を有する第１の毛髪狭持面と第２の毛髪挟持面との間に使用者の毛髪を挟持することで、使用者の毛髪が切れたり使用者が痛みを感じたりすることなく、より簡単な操作によって、使用者の毛髪をストレート形状やカール形状に施術することができる。
【００１１】
本発明のヘアーアイロンの使用方法は、把持部の端部に連設された一対の毛髪巻付部を有し、前記一対の毛髪巻付部は、互いに対向する一対の毛髪狭持面を持つ外周部が略円形形状に形成されており、前記一対の毛髪巻付部を相対移動させる操作部を備えるヘアーアイロンの使用方法であって、使用者が前記把持部を把持する把持ステップと、前記使用者が前記操作部を操作して一対の毛髪狭持面を離間させる離間ステップと、離間した前記一対の毛髪挟持面の間に毛髪を介在させる毛髪介在ステップと、対向する前記一対の毛髪挟持面の間に毛髪を狭持させる毛髪挟持ステップと、毛髪を前記一対の毛髪挟持面の間に狭持させた状態で、挟持された部位以外の毛髪を前記一対の毛髪巻付部の外周部に螺旋状に巻き付ける毛髪巻付ステップと、毛髪を前記一対の毛髪挟持面の間に狭持しつつ前記外周部に巻き付けた状態で、毛髪が前記一対の毛髪挟持面の間および前記外周部を滑るように、前記ヘアーアイロンを毛髪の先端側に引き下ろすことで、毛髪にカール状の施術を施す引き下ろしステップと、を備えるものである。
【００１２】
これによれば、より簡単な操作によって、使用者の毛髪をより確実にカール形状に施術することができる。
【発明の効果】
【００１３】
本発明によれば、より簡単な操作によって、使用者の毛髪をストレート形状やカール形状に施術可能な使い勝手のよりよいヘアーアイロンおよびその使用方法を得ることができる。
【図面の簡単な説明】
【００１４】
【図１】本発明の実施の形態１にかかるヘアーアイロンを示す側面図であって、通常状態における側面図である。
【図２】本発明の実施の形態１にかかるヘアーアイロンを示す側面図であって、互いに対向する毛髪狭持面を最も近づけた状態における側面図である。
【図３】本発明の実施の形態１にかかるヘアーアイロンの通常状態における側断面図である。
【図４】本発明の実施の形態１にかかるヘアーアイロンを示す斜視図であって、第１および第２の毛髪巻付部を離間させた状態におけるヘアーアイロンを上側から視た斜視図である。
【図５】本発明の実施の形態１にかかるヘアーアイロンを示す斜視図であって、第１および第２の毛髪巻付部を離間させた状態におけるヘアーアイロンを下側から視た斜視図である。
【図６】本発明の実施の形態１にかかるヘアーアイロンの操作部の内部構成を拡大して示す側面図である。
【図７】本発明の実施の形態１にかかるヘアーアイロンにおける第１および第２の毛髪巻付部の横断面図である。
【図８】本発明の実施の形態１にかかるヘアーアイロンの調整機構を示す側断面図であって、通常状態における側断面図である。
【図９】本発明の実施の形態１にかかるヘアーアイロンの調整機構を示す側断面図であって、互いに対向する毛髪狭持面を最も近づけた状態における側断面図である。
【図１０】毛髪狭持面間の隙間量と滑らし荷重値との関係を示す特性図である。
【図１１】第１および第２の毛髪挟持部の断面形状が所定の曲率となる場合のカール癖付け力と滑らし荷重値との関係を示す図である。
【図１２】本発明の実施の形態２にかかるヘアーアイロンの裏面図である。
【図１３】本発明の実施の形態２にかかるヘアーアイロンの平面図である。
【図１４】本発明の実施の形態２にかかるヘアーアイロンの通常状態における側面図である。
【図１５】本発明の実施の形態２にかかるヘアーアイロンを示す側面図であって、互いに対向する第１および第２の毛髪狭持面を最も近づけた状態における側面図である。
【図１６】本発明の実施の形態２にかかるヘアーアイロンを示す側断面図であって、互いに対向する第１および第２の毛髪狭持面を最も近づけた状態における側断面図である。
【図１７】図１６の第１および第２の毛髪挟持面を拡大して示す側断面図である。
【図１８】本発明の実施の形態２にかかるヘアーアイロンにおける第１および第２の毛髪巻付部の横断面図である。
【図１９】本発明の実施の形態２にかかるヘアーアイロンの第１の毛髪巻付部を第１の毛髪挟持面側から視た裏面図である。
【図２０】本発明の実施の形態２にかかるヘアーアイロンの第１の毛髪巻付部の内部構成を分解して示す図である。
【図２１】本発明の実施の形態２にかかるヘアーアイロンの第１の毛髪巻付部の内部構成を第１の毛髪挟持面側とは反対側から視た平面図である。
【図２２】本発明の実施の形態２にかかるヘアーアイロンの放電機構を斜め上側から視た斜視図である。
【図２３】本発明の実施の形態２にかかるヘアーアイロンの放電機構を側面側から視た斜視図である。
【図２４】本発明の実施の形態２にかかるヘアーアイロンの放電機構を背面側から視た斜視図である。
【図２５】本発明の実施の形態２にかかるヘアーアイロンの放電機構を斜め下側から視た斜視図である。
【発明を実施するための形態】
【００１５】
本発明の第１の実施の形態のヘアーアイロンは、第１の毛髪挟持面と略円弧状の第１の外周部とを有する第１の毛髪巻付部と、前記第１の毛髪挟持面に対向する第２の毛髪挟持面と略円弧状の第２の外周部とを有する第２の毛髪巻付部と、前記第１の毛髪挟持面と前記第２の毛髪挟持面との距離が相対的に変化するように前記第１の毛髪巻付部と前記第２の毛髪巻付部とを相対移動させる操作部と、を備え、対向する前記第１の毛髪挟持面と前記第２の毛髪挟持面との間に毛髪を狭持することで使用者の毛髪をストレート状またはカール状に施術するヘアーアイロンであって、前記第１の毛髪巻付部と前記第２の毛髪巻付部とを閉じた状態において、前記第１の毛髪挟持面と前記第２の毛髪挟持面との間に所定の間隔を有するように構成されているものである。
【００１６】
これによって、ストレート施術の際や、対向する第１の毛髪挟持面と第２の毛髪狭持面との間に毛髪を挟み込んだ状態から毛髪巻付部に毛髪を巻き付けて当該ヘアーアイロンを毛先に向かって滑らす、滑らし施術にて行なうカール施術時において、使用時の毛髪を滑らす際に、毛先が一対の毛髪狭時面に挟まれ、毛切れや痛みを感じてしまうことを抑制することができる。
【００１７】
また、隙間が大き過ぎることで毛先が抜け易くなり、毛先にカールが付かなくなるという問題を抑制することや、毛先まできれいにストレート施術ができないという問題を抑制することができる。
【００１８】
したがって、使い勝手のよりよいヘアーアイロンを提供することができる。
【００１９】
本発明の第２の実施の形態のヘアーアイロンは、前記第１の毛髪巻付部と前記第２の毛髪巻付部とを閉じた状態において、前記第１の毛髪挟持面と前記第２の毛髪挟持面との間に所定の間隔を有するように前記第１の毛髪巻付部と前記第２の毛髪巻付部とが閉じる方向への相対移動を規制する規制部が形成されている。
【００２０】
これによって、規制部を設けるという簡単な方法により第１の毛髪挟持面と第２の毛髪挟持面との間に所定の間隔を有する構成とすることができる。
【００２１】
本発明の第３の実施の形態のヘアーアイロンは、前記規制部が、前記第１の毛髪巻付部および前記第２の毛髪巻付部のうち少なくともいずれか一方から他方側に突出する規制リブである。
【００２２】
これによって、より簡素な構成で第１の毛髪挟持面と第２の毛髪挟持面との間に所定の間隔を形成することができる。
【００２３】
本発明の第４の実施の形態のヘアーアイロンは、前記第１の毛髪巻付部および前記第２の毛髪巻付部のうち少なくともいずれか一方に、前記所定の間隔を調整する調整機構が形成されている。
【００２４】
これによって、施術時に毛髪を滑らす際に適正な押圧力に調整をかけることができるようになり、太さ、毛量、キューティクルのダメージといった使用者個々の毛髪状態のバラツキに対し、使用者個々が自身の毛髪の状態に合わせ、隙間を自由に調整することできるようになる。
【００２５】
そのため、バラツキ要素の影響を抑制することができるようになって、ストレート、カール両施術をよりスムーズに行うことができるようになる。その結果、使い勝手のよりよいヘアーアイロンを提供することができるようになる。
【００２６】
本発明の第５の実施の形態のヘアーアイロンは、前記調整機構が前記規制部を兼ねている。
【００２７】
これによって、ヘアーアイロンの構成の簡素化を図ることができるようになる。
【００２８】
本発明の第６の実施の形態のヘアーアイロンは、前記調整機構は、前記第１の毛髪挟持面および前記第２の毛髪挟持面の長手方向の少なくとも一方に設けられている。
【００２９】
これによって、部品や組立バラツキによって第１の毛髪挟持面と第２の毛髪挟持面との間の隙間にバラツキが発生した場合であっても、所定の隙間量を確保することができる。その結果、対向する毛髪狭持面間の距離を所定の状態に安定的に確保することが可能となり、ストレート施術時および、毛髪を挟んで滑らす滑らしカール施術の際に、毛髪に必要以上の押圧力がかからないようにすることができる。
【００３０】
したがって、毛髪への必要以上の過度テンションを抑制することができ、毛髪へのダメージを抑制できることのみならず、毛先が毛髪狭時面に挟まれ、毛切れや痛みを感じることを低減することが可能となり、ストレート、カール両施術において、使用者がスムーズに操作を行うことができるようになる。その結果、使い勝手のよりよいヘアーアイロンを提供することができるようになる。
【００３１】
本発明の第７の実施の形態のヘアーアイロンは、前記第１の毛髪挟持面および前記第２の毛髪挟持面が平坦部を有する。
【００３２】
これによって、第１の毛髪挟持面と第２の毛髪挟持面との間の一部に毛髪が偏ってしまうのを抑制することができ、毛髪をより均等に挟持させることができるようになる。
【００３３】
本発明の第８の実施の形態のヘアーアイロンは、前記第１の毛髪挟持面の全面と前記第２の毛髪挟持面の全面との間に前記所定の間隔が形成されている。
【００３４】
これによって、第１の毛髪挟持面と第２の毛髪挟持面との間に挟持された毛髪の一部に必要以上の過度テンションがかかってしまうのを抑制することができ、挟持された毛髪の全域により適正なテンションをかけることができるようになる。
【００３５】
本発明の第９の実施の形態のヘアーアイロンは、前記第１の毛髪巻付部および前記第２の毛髪巻付部は、前記第１の毛髪挟持面および前記第２の毛髪挟持面の短手方向の両端に、前記第１の毛髪挟持面および前記第２の毛髪挟持面の長手方向に沿って配設されるとともに、前記第１の毛髪挟持面および前記第２の毛髪挟持面の長手方向に沿って視た断面がＲ形状に形成された第１の毛髪狭持部および第２の毛髪挟持部をそれぞれ備え、前記第１の毛髪狭持部および前記第２の毛髪挟持部のＲ形状は、前記第１の毛髪挟持面および前記第２の毛髪挟持面の長手方向の一方から他方にかけて曲率が変化するように形成されている。
【００３６】
これによって、滑らし施術の際に発生する、施術毛髪の、根元付近から毛先先端にかけての毛量変化や、ヘアースタイルによる毛量や使用者の毛髪性状変化に対して起こりうる滑らしカール時の毛髪狭持部における毛髪滑り抵抗変化に対して、それぞれの変化に応じて便宜に滑り抵抗低減効果を与えることができる。
【００３７】
また、カールを強くつけるために必要な毛髪狭持部における滑り抵抗に関しては、曲率を変化させることで、一対の毛髪狭持部に毛髪を巻きつけた際に、毛先と根元の毛量の違いによるカーリング時の滑り抵抗を変えることができる。その結果、毛髪狭持部での毛髪のしごき、および滑らしがより容易になり、カール施術をよりスムーズに行うことができるようになる。
【００３８】
本発明の第１０の実施の形態のヘアーアイロンは、前記第１の毛髪狭持部のＲ形状は、前記長手方向において前記第１の毛髪巻付部の先端側から根元側に向けて曲率が大きくなるように形成されており、前記第２の毛髪狭持部のＲ形状は、前記長手方向において前記第２の毛髪巻付部の先端側から根元側に向けて曲率が大きくなるように形成されている。
【００３９】
これによって、主に毛先が保持される第１および第２の毛髪巻付部の根元側の曲率が大きくなるため、毛先の保持力を上げることができ、毛先までカールを付け易くすることができる。
【００４０】
本発明の第１１の実施の形態のヘアーアイロンは、前記第１の毛髪巻付部および前記第２の毛髪巻付部のうち少なくともいずれか一方には、当該毛髪巻付部の毛髪狭持面の短手方向の両端をそれぞれフロート可能とするフロート機構が形成されている。
【００４１】
これによって、第１および第２の毛髪狭持面の間に毛髪を挟み保持力をかける際に、荷重の一点集中を避けることができるため、毛髪の突っ掛かりや髪切れを抑制することができるとともに、施術のバラツキを軽減することができる。その結果、毛髪の滑らしが容易になり、ストレート、カール両施術をよりスムーズに行うことができるようになる。
【００４２】
このように、ヘアーアイロンの構成を本発明の各実施の形態のようにすれば、操作部を操作して離間させた状態で第１および第２の毛髪狭時面の間に毛髪を挟んで狭持することが可能なヘアーアイロンであって、略円形形状の外周面を有する第１および第２の毛髪巻付部を備えるヘアーアイロンを用いて、毛髪へのカール施術をよりスムーズに行うことができるようになる。
【００４３】
本発明の第１２の実施の形態のヘアーアイロンの使用方法は、把持部の端部に連設された一対の毛髪巻付部を有し、前記一対の毛髪巻付部は、互いに対向する一対の毛髪狭持面を持つ外周部が略円形形状に形成されており、前記一対の毛髪巻付部を相対移動させる操作部を備えるヘアーアイロンの使用方法であって、使用者が前記把持部を把持する把持ステップと、前記使用者が前記操作部を操作して一対の毛髪狭持面を離間させる離間ステップと、離間した前記一対の毛髪挟持面の間に毛髪を介在させる毛髪介在ステップと、対向する前記一対の毛髪挟持面の間に毛髪を狭持させる毛髪挟持ステップと、毛髪を前記一対の毛髪挟持面の間に狭持させた状態で、挟持された部位以外の毛髪を前記一対の毛髪巻付部の外周部に螺旋状に巻き付ける毛髪巻付ステップと、毛髪を前記一対の毛髪挟持面の間に狭持しつつ前記外周部に巻き付けた状態で、毛髪が前記一対の毛髪挟持面の間および前記外周部を滑るように、前記ヘアーアイロンを毛髪の先端側に引き下ろすことで、毛髪にカール状の施術を施す引き下ろしステップと、を備える。
【００４４】
これによって、より簡単な操作によって、使用者の毛髪をより確実にカール形状に施術することができる。
【００４５】
本発明の第１３の実施の形態のヘアーアイロンの使用方法は、前記一対の毛髪巻付部の先端側には、前記使用者がつまむことで前記一対の毛髪巻付部の離間を規制するつまみ部が形成されており、前記引き下ろしステップにおいて、前記使用者が前記つまみ部をつまんだ状態で前記ヘアーアイロンを毛髪の先端側に引き下ろすものである。
【００４６】
これによって、より一層確実に、使用者の毛髪をカール形状に施術することができる。
【００４７】
以下、本発明の実施の形態について図面を参照しながら詳細を説明する。なお、この実施の形態によって本発明が限定されるものではない。
【００４８】
また、以下の説明では、第１の毛髪狭持面と第２の毛髪狭持面とを近づける（第１の毛髪巻付部と第２の毛髪巻付部とを閉じる）とともに、第２の毛髪狭持面が上を向いた状態におけるヘアーアイロンを基準として上下方向を規定する。また、ヘアーアイロンの毛髪巻付部側を前方、把持部側を後方として説明する。
【００４９】
さらに、上記基準における前後方向（第１および第２の毛髪挟持面の長手方向）をＸ方向、幅方向（第１および第２の毛髪挟持面の短手方向）をＹ方向、上下方向（上記基準における第１および第２の毛髪巻付部の厚さ方向）をＺ方向として説明する。
【００５０】
また、以下の複数の実施の形態には、同様の構成要素が含まれている。よって、以下では、それら同様の構成要素には共通の符号を付与するとともに、重複する説明を省略する。
【００５１】
（実施の形態１）
図１〜図９は、本発明の実施の形態１にかかるヘアーアイロン１０の構成を示すものである。
【００５２】
本実施の形態１にかかるヘアーアイロン１０は、図１に示すように、把持部２０を備えており、当該把持部２０のＸ方向一端側（前端側）に、第１の毛髪巻付部３０および第２の毛髪巻付部４０が連結されている。
【００５３】
さらに、第１の毛髪巻付部３０の根元側（Ｘ方向後端側）を第２の毛髪巻付部４０の根元側（Ｘ方向後端側）に相対回動可能に連結することで、第１の毛髪巻付部３０と第２の毛髪巻付部４０とが回動連結部１３を介して拡開可能に連結されている（図６参照）。
【００５４】
そして、第１の毛髪巻付部３０と第２の毛髪巻付部４０とを回動連結部１３を介して相対回動させることで、第１の毛髪巻付部３０および第２の毛髪巻付部４０を開閉させる（互いに近づけたり遠ざけたりする）ことができるようになっている。
【００５５】
第１の毛髪巻付部３０は、略平坦状の第１の毛髪挟持面３６ａと略円弧状（略半円弧状）の第１の外周部３８とを有している。一方、第２の毛髪巻付部４０は、第１の毛髪挟持面３６ａに対向する略平坦状の第２の毛髪挟持面４６ａと略円弧状（略半円弧状）の第２の外周部４８とを有している。この第１の毛髪挟持面３６ａと第２の毛髪挟持面４６ａとは、第１の毛髪巻付部３０および第２の毛髪巻付部４０を閉じるように回動させた際に互いに略平行状態で対向するように形成されている。
【００５６】
したがって、第１の毛髪巻付部３０と第２の毛髪巻付部４０とを回動連結部１３を介して相対回動させ、第１の毛髪巻付部３０および第２の毛髪巻付部４０を開閉させる（互いに近づけたり遠ざけたりする）ことで、第１の毛髪巻付部３０と第２の毛髪巻付部４０との相対回動に伴って、第１の毛髪挟持面３６ａと第２の毛髪挟持面４６ａとが互いに近づいたり遠ざかったりすることとなる。
【００５７】
本実施の形態１では、第１の毛髪巻付部３０および第２の毛髪巻付部４０は、互いに閉じた状態で、外周面の横断面形状（Ｘ方向に垂直な断面形状）が略円形形状となるように形成されている。なお、第１の毛髪巻付部３０および第２の毛髪巻付部４０の外周面の横断面形状は円形形状に限らず、例えば、外周面の横断面形状を楕円形状とすることも可能である。
【００５８】
さらに、第１の毛髪巻付部３０の根元側（Ｘ方向後端側）には、上方かつ後方に延在する操作部５０が形成されており、この操作部５０を使用者等が操作することで、第１の毛髪挟持面３６ａと第２の毛髪挟持面４６ａとの距離が相対的に変化するように第１の毛髪巻付部３０と第２の毛髪巻付部４０とを相対移動（相対回動）させることができるようになっている。
【００５９】
このように、本実施の形態１にかかるヘアーアイロン１０の第１の毛髪巻付部３０および第２の毛髪巻付部４０は、略円柱形状の毛髪巻付部を二分割した形状をしている。
【００６０】
そして、ヘアーアイロン１０は、一対の毛髪巻付部（第１の毛髪巻付部３０および第２の毛髪巻付部４０）を離間させる操作部５０を後方に備えており、操作部５０を使用者等が握ることで一対の毛髪巻付部が離間し、離間した一対の毛髪巻付部の毛髪狭時面の間に毛髪を入れ、操作部５０を戻すことで毛髪を狭持できる構造となっている。
【００６１】
把持部２０は、外壁をなすケース２１を備えており、ケース２１は、複数の分割体（例えば、上部ケース２１ａおよび下部ケース２１ｂ等）を継ぎ合わせて構成されている。そして、ケース２１の内部には空洞が形成されており、この空洞内に、例えば、制御装置７０等の各種電気部品が収容されている。なお、把持部２０の上部ケース２１ａの上側面には、化粧プレート２１ｃが嵌め込まれている。
【００６２】
また、把持部２０の側部には、図１および図２に示すように、操作スイッチ（スイッチ）６０が前後方向にスライド可能に設けられており、この操作スイッチ６０を操作することで、後述するヒータ３７およびヒータ４７に対する通電のオン・オフ状態を切り換えることができるようになっている。なお、操作スイッチ６０は、スライド部６１と突部６２とで構成されている。
【００６３】
そして、この操作スイッチ６０の操作によってヒータ３７およびヒータ４７を通電させると当該ヒータ３７およびヒータ４７が発熱し、発熱したヒータ３７およびヒータ４７から第１の毛髪挟持面３６ａと第２の毛髪挟持面４６ａにそれぞれ熱が伝達されることで、第１の毛髪挟持面３６ａと第２の毛髪挟持面４６ａが加熱される。
【００６４】
把持部２０は、横断面形状が円弧状の外周面を有しており、全体として円柱に類似する形状に形成されている。ただし、把持部２０の外形は、円柱形状に類似する形状に限定されるものではなく、使用者が握ることができる形状であれば、いかなる形状であってもよい。
【００６５】
また、ヘアーアイロン１０の後端部１０ａ（把持部２０の後端）からは、回転コネクタ１１を介して電源コード１２が取り付けられており、電源コード１２はリード線７１を介して制御装置７０に電気的に接続されている（図３および図７参照）。
【００６６】
第１の毛髪巻付部３０は、第１の毛髪挟持面３６ａを有するとともに、毛髪が巻き付けられる第１の外周部３８を有する本体部３１と、当該本体部３１を把持部２０に連設する固定部３２と、先端につまみ部３３ｐが形成されたキャップ部３３と、を備えている。
【００６７】
本体部３１は、外壁をなすケース３４を備えており、このケース３４は、複数の分割体（例えば、上部ケース３４ａおよび下部ケース３４ｂ等））を継ぎ合わせて構成されている。
【００６８】
そして、ケース３４の上部ケース３４ａの外面が、毛髪が巻き付けられる第１の外周部３８となっている。
【００６９】
固定部３２は、本体部３１の後端に連設されており、この固定部３２に操作部５０が連設されている。
【００７０】
キャップ部３３は、本体部３１の前端に連設されており、このキャップ部３３の先端には、下方に湾曲する凹面状のつまみ部３３ｐが形成されている。本実施の形態１では、つまみ部３３ｐに突部３３ｒが形成されており、この突部３３ｒは、つまみ部３３ｐをつまむ際に、滑り止めとして機能するものである。また、突部３３ｒは、ヒータ３７からつまみ部３３ｐに伝わる熱を放熱する機能も有している。
【００７１】
一方、第２の毛髪巻付部４０は、第２の毛髪挟持面４６ａを有するとともに、毛髪が巻き付けられる第２の外周部４８を有する本体部４１と、当該本体部４１を把持部２０に連設する固定部４２と、先端につまみ部４３ｐが形成されたキャップ部４３と、を備えている。
【００７２】
本体部４１は、外壁をなすケース４４を備えており、このケース４４は、複数の分割体（例えば、上部ケース４４ａおよび下部ケース４４ｂ等））を継ぎ合わせて構成されている。
【００７３】
そして、ケース４４の下部ケース４４ｂの外面が、毛髪が巻き付けられる第２の外周部４８となっている。
【００７４】
固定部４２は、本体部４１の後端に連設されており、この固定部４２には、第１の毛髪巻付部３０と第２の毛髪巻付部４０との閉じる方向への相対回動を規制する規制リブ（規制部）４２ｃが形成されている。
【００７５】
キャップ部４３は、本体部４１の前端に連設されており、このキャップ部４３の先端には、上方に湾曲する凹面状のつまみ部４３ｐが形成されている。本実施の形態１では、つまみ部４３ｐにも突部４３ｒが形成されており、この突部４３ｒも、つまみ部４３ｐをつまむ際に、滑り止めとして機能している。また、突部４３ｒも、ヒータ４７からつまみ部４３ｐに伝わる熱を放熱する機能を有している。
【００７６】
操作部５０は、固定部３２にネジにて締結された本体部５１と、操作部５０および第１の毛髪巻付部３０を第２の毛髪巻付部４０側に付勢するばね５２と、を備えている。なお、固定部３２と本体部５１との締結方法は、ネジに限らず圧入やコーキング、カシメ等で行うようにしてもよい。
【００７７】
また、本実施の形態１では、ばね５２としてねじりばねを用いており、ねじりばねは、一端５２ｂが本体部５１の内側（図３の下側）に突出するように形成した突部５１ｂに連結されるとともに、他端５２ｄが固定部４２の上端から上方に突出するように形成した突部５１ｂに連結されている。
【００７８】
このとき、操作部５０および第１の毛髪巻付部３０は、第１の毛髪巻付部３０と第２の毛髪巻付部４０とを閉じる方向に付勢されるようにしている。
【００７９】
さらに、操作部５０は、金属ピン５４を軸に回動可能に形成された規制板５３を備えており、この規制板５３を固定部４２に形成された回転ストッパリブ４２ａ、４２ｂにそれぞれ当接させることで、操作部５０および当接部５０と連動して第２の毛髪巻付部４０に対して相対的に回動する第１の毛髪巻付部３０の回動を規制している。
【００８０】
なお、本実施の形態１では、第１の毛髪巻付部３０が第２の毛髪巻付部４０に対して所定角度（２４度）以上に開いてしまわないように設定している。
【００８１】
また、規制板５３と回転ストッパリブ４２ａ、規制板５３と回転ストッパリブ４２ｂとをそれぞれ面接触させることで、第１の毛髪巻付部３０の第２の毛髪巻付部４０に対する相対回動を規制するようにしている。
【００８２】
上述したように、操作部５０は、ばね５２によって付勢されている。したがって、使用者は、ばね５２の弾性力に反発しながら操作部５０を操作することにより、第１の毛髪巻付部３０を第２の毛髪巻付部４０から離れるように移動させることができる。
【００８３】
また、使用者が操作部５０を離すと、ばね５２の復元力により、第１の毛髪巻付部３０が第２の毛髪巻付部４０に近づくように移動する。したがって、使用者は、操作部５０を操作することにより、第１の毛髪巻付部３０を第２の毛髪巻付部４０から離したり、第２の毛髪巻付部４０に近づけたりすることができる。
【００８４】
そして、第１の毛髪巻付部３０および第２の毛髪巻付部４０に形成された第１の毛髪挟持面３６ａと第２の毛髪挟持面４６ａとで毛髪を挟み込み、ヒータ３７およびヒータ４７で発生させた熱を第１の毛髪挟持面３６ａおよび第２の毛髪挟持面４６ａを介して毛髪に加えることで、毛髪にカール状やストレート状の癖付けを施している。
【００８５】
例えば、毛髪へのカール状の癖付けは、以下のようにして行われる。
【００８６】
まず、加熱した第１の毛髪挟持面３６ａおよび第２の毛髪挟持面４６ａを互いに対向させ、第１の毛髪挟持面３６ａと第２の毛髪挟持面４６ａとの間に、第１の毛髪挟持面３６ａおよび第２の毛髪挟持面４６ａの幅方向（Ｙ方向：短手方向）に延在するように毛髪を配置した状態で、第１の毛髪挟持面３６ａと第２の毛髪挟持面４６ａとで毛髪を挟み込む。
【００８７】
次に、毛髪を挟み込んだ状態でヘアーアイロン１０を回転させて、第１の毛髪挟持面３６ａと第２の毛髪挟持面４６ａとで挟み込まれていない毛髪を第１の外周部３８および第２の外周部４８のうち少なくともいずれか一方に螺旋状に巻き付ける。
【００８８】
そして、毛髪を第１の外周部３８および第２の外周部４８のうち少なくともいずれか一方に押し当てた状態で、ヘアーアイロン１０を、毛髪に沿って滑らせながら毛先に向けて引き下ろすことで、毛髪にカール状の癖付けが施される。
【００８９】
なお、毛髪へのストレート状の癖付けは、第１の毛髪挟持面３６ａと第２の毛髪挟持面４６ａとで毛髪を挟み込んだヘアーアイロン１０を回転させずに、毛髪に沿って滑らせながら毛先に向けて引き下ろすことで行われる。
【００９０】
このように、本実施の形態１にかかるヘアーアイロン１０は、毛髪に熱による癖付けを施すことで整髪を行うものである。
【００９１】
上述したように、本体部３１および本体部４１は、外壁をなすケース３４およびケース４４を備えており、これらケース３４およびケース４４は、複数の分割体を継ぎ合わせて構成されている。
【００９２】
本実施形態では、図７に示すように、下方に開口した上部ケース３４ａの下端に設けた溝部に、上方に開口した下部ケース３４ｂの上端に設けた突部を嵌合させ、溶着や接着等により上部ケース３４ａおよび下部ケース３４ｂを一体化させることで、内部に空洞が形成されたケース３４を形成している。
【００９３】
また、図７に示すように、上方に開口した下部ケース４４ｂの上端側部に設けた溝部に、下方に開口した上部ケース４４ａの下端側部に設けた突部を嵌合させ、溶着や接着、またはネジ等により上部ケース４４ａおよび下部ケース４４ｂを一体化させることで、内部に空洞が形成されたケース４４を形成している。
【００９４】
また、本実施形態では、ケース３４およびケース４４に、第１の毛髪挟持面３６ａを有する毛髪挟持部材３５および第２の毛髪挟持面４６ａを有する毛髪挟持部材４５を支持させることで、第１の毛髪巻付部３０および第２の毛髪巻付部４０を形成している。
【００９５】
具体的には、毛髪挟持部材３５および毛髪挟持部材４５は、略板状のプレート部３６およびプレート部４６を備えており、このプレート部３６およびプレート部４６の表面に、略平坦状の第１の毛髪挟持面３６ａおよび第２の毛髪挟持面４６ａが形成されている。本実施形態では、第１の毛髪挟持面３６ａおよび第２の毛髪挟持面４６ａは、図１に示すように、平面視で、ケース３４およびケース４４の長手方向に細長い略長方形状に形成されている。
【００９６】
さらに、第１の毛髪挟持面３６ａおよび第２の毛髪挟持面４６ａの幅方向両端には、幅方向断面視で、斜め外側に向けて凸となる湾曲面（毛髪挟持面側湾曲面）３６ｄおよび湾曲面（毛髪挟持面側湾曲面）４６ｄがそれぞれ形成されている。すなわち、第１の毛髪挟持面３６ａおよび第２の毛髪挟持面４６ａは、幅方向中央部の平坦面（平坦部）３６ｂ，４６ｂと、当該平坦面３６ｂ，４６ｂの幅方向両端に形成される湾曲面３６ｄ，４６ｄとで構成されている。
【００９７】
さらに、プレート部３６およびプレート部４６は、幅方向両端部が、ケース３４およびケース４４の内側に向けて屈曲しており、第１の毛髪挟持面３６ａおよび第２の毛髪挟持面４６ａの幅方向両端には、図７に示すように、幅方向断面視で、斜め外側に向けて凸となる第１の毛髪挟持部３９および第２の毛髪挟持部４９がそれぞれ形成されている。
【００９８】
そして、プレート部３６およびプレート部４６のケース３４およびケース４４の内側には、ヒータ３７およびヒータ４７を収容する収容部Ｓ１および収容部Ｓ２が形成されており、収容部Ｓ１および収容部Ｓ２に収容したヒータ３７およびヒータ４７が、それぞれプレート部３６およびプレート部４６の裏面に当接するようにしている。
【００９９】
このプレート部３６およびプレート部４６は、例えば、銅やアルミニウムなど導電性の高い材料で形成し、毛髪に熱を伝えやすくするのが好ましい。
【０１００】
本実施の形態１では、第１の毛髪狭持面３６ａおよび第２の毛髪狭持面４６ａに、発熱部としてニクロム線ヒータが配設されており、プレート部３６およびプレート部４６を瞬時に加熱することができる。なお、本実施の形態１では、ヒータとしてニクロム線ヒータを用いたものを例示したが、これに限らず、ＰＴＣヒータ（Positive Temperature Coefficient ヒータ）やその他の加熱手段を用いるようにしてもよい。また、ヒータは、第１の毛髪狭持面３６ａおよび第２の毛髪狭持面４６ａのいずれか一方のみに設けられるようにしてもよい。また、本実施の形態１のように、ニクロム線ヒータを用いることで、使用者のカールあるいはストレート施術の際に必要な熱量を十分に確保することが可能となる。
【０１０１】
そして、把持部２０には、操作スイッチ６０が設けられており、この操作スイッチ６０を操作することで、ヒータ３７およびヒータ４７に対する通電のオン・オフを切り換えることができるようになっている。この操作スイッチ６０の操作によってヒータ３７およびヒータ４７を通電させると当該ヒータ３７およびヒータ４７が発熱し、この発熱したヒータ３７およびヒータ４７からプレート部３６およびプレート部４６に熱が伝達されることで、プレート部３６およびプレート部４６が加熱される。
【０１０２】
さらに、本実施形態では、図３に示すように、ヒータ３７にサーミスタ７３が取り付けられており、ヒータ３７の温度変化に伴って変化するサーミスタ７３の抵抗値を利用して、ヒータ３７およびヒータ４７の温度を制御している。なお、符号７２はヒューズであり、このヒューズ７２を設けることで、制御装置７０の破損等により第１の毛髪挟持面３６ａや第２の毛髪挟持面４６ａの温度が所定の温度を超えてしまった場合に、ヒータ３７およびヒータ４７への通電が遮断されるようにしている。
【０１０３】
ここで、本実施の形態１では、第１の毛髪巻付部３０と第２の毛髪巻付部４０とを閉じた状態において、第１の毛髪挟持面３６ａと第２の毛髪挟持面４６ａとの間に所定の間隔ｄを有するようにヘアーアイロン１０を構成した。
【０１０４】
具体的には、第１の毛髪巻付部３０と第２の毛髪巻付部４０とを閉じた状態において、第１の毛髪挟持面３６ａと第２の毛髪挟持面４６ａとの間に所定の間隔ｄを有するように第１の毛髪巻付部３０と第２の毛髪巻付部４０とが閉じる方向への相対移動を規制する規制リブ（規制部）４２ｃを形成した。
【０１０５】
規制リブ（規制部）４２ｃは、第１の毛髪巻付部３０および第２の毛髪巻付部４０のうち少なくともいずれか一方である第２の毛髪巻付部４０から第１の毛髪巻付部３０（他方側）に突出するように形成されている。
【０１０６】
さらに、本実施の形態１では、第１の毛髪巻付部３０（第１の毛髪巻付部３０および第２の毛髪巻付部４０のうち少なくともいずれか一方）に、所定の間隔ｄを調整する調整機構３３ａを形成している。
【０１０７】
この調整機構３３ａは、第１の毛髪挟持面３６ａおよび第２の毛髪挟持面４６ａの長手方向の少なくとも一方である先端側（前側）に設けられている。
【０１０８】
この調整機構３３ａは、フロート部材３３ｂと、フロート部材３３ｂを付勢するばね３３ｃと、フロート部材３３ｂの突部３３ｆの突出量の上限を規定する蓋部３３ｄと、を備えている。
【０１０９】
そして、この調整機構３３ａは、ケース３３ｋに取り付けられている。
【０１１０】
フロート部材３３ｂは、蓋部３３ｄに形成された挿通孔３３ｊから外部に突出する突部３３ｆと、挿通孔３３ｊの周縁部に当接して突部３３ｆの突出量を規制する段差部３３ｇと、内部にばね受け部３３ｉが形成された筒部３３ｈと、を備えている。
【０１１１】
そして、ばね受け部３３ｉとケース３３ｋに形成されたばね受け部３３ｍとの間にばね３３ｃを介在させることで、フロート部材３３ｂを付勢させている。
【０１１２】
なお、蓋部３３ｄは、ネジ３３ｅをケース３３ｋに形成された筒状リブ３３ｎの内面に螺合させることで、ケース３３ｋに取り付けられている。
【０１１３】
かかる構成の調整機構３３ａを設けることで、間隔ｄの量を調整することができるようになる。
【０１１４】
さらに、本実施形態では、第１の毛髪挟持面３６ａと第２の毛髪挟持面４６ａとを最も近づけた状態（突部３３ｆの突出量が最小になった状態）においても、第１の毛髪挟持面３６ａと第２の毛髪挟持面４６ａとの間に所定の間隔ｄが形成されるようにしている。このように、本実施の形態１にかかる調整機構３３ａは、規制部も兼ねている。
【０１１５】
また、第１の毛髪挟持面３６ａおよび第２の毛髪挟持面４６ａは、平坦部３６ｂ，４６ｂを有している。
【０１１６】
そして、第１の毛髪挟持面３６ａの全面と第２の毛髪挟持面４６ａの全面との間に所定の間隔ｄが形成されている。すなわち、第１の毛髪挟持面３６ａと第２の毛髪挟持面４６ａとを最も近づけた状態においても、第１の毛髪挟持面３６ａの全面と第２の毛髪挟持面４６ａの全面との間に所定の間隔ｄが形成されるようにしている。
【０１１７】
また、第１の毛髪巻付部３０および第２の毛髪巻付部４０は、第１の毛髪挟持面３６ａおよび第２の毛髪挟持面４６ａの短手方向（Ｙ方向）の両端に、第１の毛髪挟持面３６ａおよび第２の毛髪挟持面４６ａの長手方向（Ｙ方向）に沿って配設されるとともに、第１の毛髪挟持面３６ａおよび第２の毛髪挟持面４６ａの長手方向に沿って視た断面がＲ形状に形成された第１の毛髪狭持部３９および第２の毛髪挟持部４９をそれぞれ備えている。
【０１１８】
そして、第１の毛髪狭持部３９および第２の毛髪挟持部４９のＲ形状は、第１の毛髪挟持面３６ａおよび第２の毛髪挟持面４６ａの長手方向の一方から他方にかけて曲率が変化するように形成されている。
【０１１９】
具体的には、第１の毛髪狭持部３９のＲ形状は、長手方向において第１の毛髪巻付部３０の先端側から根元側に向けて曲率が大きくなるように形成されており、第２の毛髪狭持部４９のＲ形状は、長手方向において第２の毛髪巻付部４０の先端側から根元側に向けて曲率が大きくなるように形成されている。
【０１２０】
さらに、第１の毛髪巻付部３０および第２の毛髪巻付部４０のうち少なくともいずれか一方には、当該毛髪巻付部３０，４０の毛髪狭持面３６ａ，４６ａの短手方向の両端をそれぞれフロート可能とするフロート機構（フロートばね３５ａ，４５ａ）が形成されている。
【０１２１】
具体的には、毛髪挟持部材３５および毛髪挟持部材４５を、それぞれ２個のフロートばね３５ａ，４５ａにて支持することで、毛髪狭持面３６ａ，４６ａを各々の毛髪狭持部に対して上下移動できるようにしている。
【０１２２】
このとき、フロートばね３５ａ，４５ａは、毛髪挟持部材３５および毛髪挟持部材４５の長手方向両端にそれぞれ設けられている。そして、それぞれのフロートばね３５ａ，４５ａは、幅方向中央部で毛髪挟持部材３５および毛髪挟持部材４５を支えるようにしている。
【０１２３】
そのため。第１の毛髪挟持面３６ａおよび第２の毛髪挟持面４６ａの長手方向に沿って視た際に、毛髪狭持面３６ａ，４６ａの短手方向両端がいずれか一方が上方に、他方が下方に移動するように毛髪狭持面３６ａ，４６ａフロートさせることもできるようになる。
【０１２４】
このように、毛髪挟持部材３５および毛髪挟持部材４５をそれぞれケース３４およびケース４４に上下フロート可能かつ回動可能に支持することで、第１の毛髪狭持面３６ａと第２の毛髪狭持面４６ａとの間に挟み込まれた毛髪に過度の負担がかかってしまうのを抑制し、毛髪へのダメージを抑制することができるようになる。
【０１２５】
なお、フロートばね３５ａ，４５ａの位置や配置個数は、便宜設定することが可能である。また、毛髪狭持面の上下方向の移動可能範囲は、０〜３ｍｍ程度となるように設定するのが好ましい。
【０１２６】
移動量が３ｍｍ以上となると、挟み込んだ毛髪にかかる荷重や引きおろす際に生じる摩擦力が増大してしまい、ヘアーアイロンを毛髪に沿ってスムーズに滑らすことが難しくなってしまうからである。
【０１２７】
これにより、毛髪狭持面に毛髪を挟み込み、押圧力を毛髪にかける際に、荷重の一点集中を避け、毛髪の突っかかりや毛切れを防ぐとともに、施術における毛髪ダメージや、施術滑らし荷重のばらつきを低減することが可能となる。その結果、毛髪のすべらし、使い勝手が良好になり、ストレート、カール両施術をスムーズに行うことができるようになる。
【０１２８】
次に、かかる構成のヘアーアイロン１０を用いて、毛髪にカール状の癖付けを施す際の作用を説明する。
【０１２９】
まず、使用者によってヘアーアイロン１０の把持部２０を把持する（把持ステップ）。
【０１３０】
次に、使用者が操作部５０を操作して一対の毛髪狭持面３６ａ，４６ａを離間させる（離間ステップ）。
【０１３１】
次に、離間した一対の毛髪挟持面３６ａ，４６ａの間に毛髪を介在させる（毛髪介在ステップ）。
【０１３２】
次に、対向する一対の毛髪挟持面３６ａ，４６ａで毛髪を狭持させる（毛髪挟持ステップ）。
【０１３３】
次に、毛髪を一対の毛髪挟持面３６ａ，４６ａの間に狭持させた状態で、ヘアーアイロン１０を回転（好ましくは半回転以上、より好ましくは１回転以上）させて、挟持された部位以外の毛髪を一対の毛髪巻付部３０，４０の外周部（第１の外周部３８または第２の外周部４８）に螺旋状に巻き付ける（毛髪巻付ステップ）。
【０１３４】
次に、毛髪を一対の毛髪挟持面３６ａ，４６ａの間に狭持しつつ外周部に巻き付けた状態で、毛髪が一対の毛髪挟持面３６ａ，４６ａの間および外周部を滑るように、ヘアーアイロン１０を毛髪の先端側に引き下ろすことで、毛髪にカール状の施術を施す（引き下ろしステップ）。
【０１３５】
こうして、毛髪にカール状の癖付けが施される。
【０１３６】
なお、上記の引き下ろしステップにおいて、使用者がつまみ部３３ｐ、４３ｐをつまんだ状態でヘアーアイロン１０を毛髪の先端側に引き下ろすようにしてもよい。
【０１３７】
上記の引き下ろしステップにおいては、ヘアーアイロン１０を水平面に対して所定の角度（例えば１０度）となるようにした状態で下側に平行移動させるようにして引き下ろすのが好ましいが、他の方法（平行移動以外の方法）で引き下ろすようにしてもよい。
【０１３８】
ここで、本実施の形態１では、毛髪を第１の毛髪狭持面３６ａおよび第２の毛髪狭持面４６ａで挟み込むとともに外周部（第１の外周部３８や第２の外周部４８）に押し当てた状態における毛髪と第１の毛髪狭持部３９および第２の毛髪狭持部４９との接触摩擦が所定の状態（滑らし荷重値が２００ｇ以上から７００ｇ以下）となるように、各々の毛髪狭持部３９，４９の曲率半径を設定した。
【０１３９】
また、第１の毛髪狭持面３６ａおよび第２の毛髪狭持面４６ａで毛髪を挟み込む際に毛髪にかかる押圧力が所定の状態になるように、互いに対向する両毛髪狭持面３６ａ、４６ａ間の隙間ｄ量を設定した。
【０１４０】
具体的には、ヘアーアイロン１０の使用時に、使用者にとって使いやすい、滑らしやすい所定の滑らし荷重値（２００ｇ以上から７００ｇ以下）となるようにした。
【０１４１】
すなわち、毛髪を両毛髪狭持面３６ａ、４６ａに挟み込み、ヘアーアイロン１０を回転させ、毛髪巻付部３０，４０へ巻きつけた状態で、毛髪を毛先に滑らした場合に、滑らし荷重値が所定の範囲を満たす状態となるようにした。
【０１４２】
まず、所定の滑らし荷重値となるように、両毛髪狭持面３６ａ、４６ａが近づいた際に、両毛髪狭持面３６ａ、４６ａに隙間ｄを設けることで、使用者の毛量、毛髪性状など種種の環境に対して対応できるように、隙間ｄの量を設定した。
【０１４３】
この隙間量は０ｍｍ以上から１．２ｍｍ以下の間で設定するのが好ましい。さらに、０．１ｍｍ以上０．３ｍｍ以下に設定することがより好ましい。こうすれば、図１０に示すように、毛髪狭持部３９，４９の曲率半径が３．０ｍｍ〜３．５ｍｍの間であれば、滑らし荷重値を所定の範囲内（滑らし荷重値が２００ｇ以上から７００ｇ以下）に収めることが可能となる。
【０１４４】
本実施形態では、図１０の特性図に基づき、対向する両毛髪狭持面３６ａ、４６ａが最も近づいた状態において、両毛髪狭持面３６ａ、４６ａの間の隙間量が０．２ｍｍとなるようにしている。こうすれば、使用者の施術ばらつきを考慮した状態でも滑らし荷重値を所定の範囲内に収めることが可能となる。
【０１４５】
また、本実施形態では、両毛髪狭持面３６ａ、４６ａ間の隙間ｄ量を便宜調整できるように、第１の毛髪巻付部３０と第２の毛髪巻付部４０の前方側にキャップ３３，４３を設けている。
【０１４６】
具体的には、第１の毛髪巻付部３０の前方側先端部にキャップ３３を、第２の毛髪巻付部４０の前方側先端部にキャップ４３をそれぞれ形成している。キャップ３３には上下に摺動する凸形状の調整機構３３ａが配設され、調整バネ（ばね３３ｃ）を介して突出量を変更できるように構成されている。また、これらの構成部品は、調整蓋（蓋部３３ｄ）によって隠されている。
【０１４７】
キャップ４３には凸形状に突き出した調整機構３３ａの突部３３ｆをうける凹状の溝部４３ｓが形成されている。これにより、第１の毛髪巻付部３０および第２の毛髪巻付部４０の回動自在動作における、左右ずれの規制を行うことができる。
【０１４８】
本実施の形態１では、このキャップ３３，４３間に構成された調整バネ（ばね３３ｃ）を介した調整機構３３ａの上下自在の動作によって、所定の滑り荷重内範囲に収まるように、両毛髪狭持面３６ａ、４６ａ間の押圧力を設定できるようにした。
【０１４９】
すなわち、隙間ｄ量を所定の隙間量（例えば、０．１ｍｍ以上０．３ｍｍ以下の範囲）内で便宜無段階に（連続的に）使用者自ら好みで調整することが可能となるようにすることで、使用者の施術ばらつきを考慮しながら、所定の滑り荷重内範囲に収めることが可能となるようにした。
【０１５０】
これにより、ある所定の値に設定する場合よりも、調整範囲を大きく取ることが可能となり、より適宜に、さまざまな使用者の毛髪挿入状態に応じてより広く対応できるようになる。
【０１５１】
さらに、本実施の形態１では、隙間ｄ量の調整が使用者の種種の状態に適宜対応できるよう設定するのみならず、使用者の調整力における毛髪ダメージ、つまり毛先の毛切れや痛みなどを感じることがないよう、隙間量が０．１ｍｍ以下にならない規制リブ４２ｃを設置している。これにより、両毛髪狭持面３６ａ、４６ａの過度の近接接触がいかなる場合であっても起きないような構成とすることが可能となる。
【０１５２】
また、部品の寸法がばらついた場合や、種種のヘアーアイロン構成部品同士の勘合におけるクリアランスを考慮した設計における寸法公差を必要とする場合であっても、所定の隙間量を確保することが可能となる。
【０１５３】
なお、本実施の形態１では、規制リブ４２ｃを固定部４２に設置しているが、規制リブは対向する毛髪狭持面３６ａ、４６ａの間のいずれの場所に設置されていてもよい。本実施の形態１のように、第２の毛髪狭持面４６ａの近傍に規制リブ４２ｃを設置すれば、この規制リブ４２ｃを、毛髪狭持面３６ａ、４６ａ間で挟んだ毛髪が、加熱可能領域から外れて未加熱状態になってしまう状況が発生してしまうのを抑制できるリブとして併用することが可能である。
【０１５４】
さらに、本実施の形態１では、第１の毛髪狭持部３９および第２の毛髪狭持部４９の断面形状が、前方先端側から根元側にかけて、いずれか一方から曲率が徐々に変化する構造としている。
【０１５５】
具体的には、各毛髪狭持部３９，４９の断面形状に形成されている曲率半径を、３．０ｍｍ〜３．５ｍｍとなるように設定した。これにより、所定の滑らし荷重値内にて使用者が使用できるよう便宜対応できるようになる。
【０１５６】
なお、曲率半径が３．０ｍｍ未満の場合、毛髪に対して、カール状癖付け力は増す傾向となるが、使用者の毛髪にかかるダメージ、負担は大きく、結果として、さまざまな毛髪性状や毛量に対して、所定の滑り荷重値範囲を超える場合がある（図１０および図１１参照）。
【０１５７】
また曲率半径が３．５ｍｍより多い場合、毛髪に対してかかる毛髪滑らし荷重値は所定の滑らし荷重値範囲内に収めることが可能であるが、カール状癖付けのためのテンション力が十分でなく、使用者のカール癖付け力が下回る場合がある（図１０および図１１参照）。
【０１５８】
そこで、本実施の形態１では、各々の曲率半径での利点を活かした形で、毛髪狭持部の曲率半径を３．０ｍｍ〜３．５ｍｍの間で徐々に変化するように構成している。
【０１５９】
これにより、滑らし施術の際に発生する、施術毛髪の、根元付近から毛先先端にかけての毛量変化や、ヘアースタイルによる毛量や、使用者の毛髪性状変化に対して起こりうる滑らしカール時の毛髪狭持部３９，４９における毛髪滑り抵抗変化に対して、適宜対応できる滑り抵抗低減効果をあたえることができる。
【０１６０】
さらに、毛髪狭持部３９，４９での毛髪のしごき、および滑らしが容易になり、カール施術をよりスムーズに行うことができるようになる。
【０１６１】
さらに、本実施の形態１では、一対の毛髪狭持部３９，４９の断面形状を、曲率が先端側から根元側に向かって大きくなるように構成している。
【０１６２】
具体的には、先端側から根元側に向かって、毛髪狭持部の曲率半径が３．５ｍｍから３．０ｍｍとなるように徐々に変化させている。
【０１６３】
通常、使用者が滑らし施術にてカール状癖付けを行う場合、一般的に、ヘアーアイロン１０に対して、毛髪の根元側を対向する毛髪狭持面３６ａ、４６ａ間に挟み込み、回転させ、毛先に向かって滑らすように行う。この際、ヘアーアイロン１０の外周部に対して毛髪巻付部先端側に施術毛髪が多く巻きつき、毛髪巻付部の根元側には施術毛髪の毛先側が多く巻きつく。
【０１６４】
このとき、毛量の多い施術毛髪の根元側部に対して、毛髪しごきテンションが大きくかかると、毛髪に対してダメージを与えたり、滑らし荷重値が大きくなったりして、所定の滑らし荷重値を超える状況が発生する可能性がある。そこで、かかる状態を回避し、カール施術がスムーズに行うことができるようにするためには、曲率を大きくするほうが望ましい。そこで、本実施の形態１では、毛髪狭持部３０，４０の先端側の曲率半径を３．５ｍｍに設定した。
【０１６５】
これに対し、毛先の毛量は施術毛髪根元側より少なく、かつ毛先にはしっかりカール状癖付けを行う必要があるため、曲率半径を小さくするほうが望ましい。こうすれば、毛髪しごきテンションが大きくかかり、しっかりカール状癖付けを行うことができるとともに、滑らし荷重値は毛量も少ないため、所定範囲内に収めることが可能となる。
【０１６６】
そこで、本実施の形態１では、毛髪狭持部３０，４０の根元側曲率半径を３．０ｍｍに設定した。
【０１６７】
このように、本実施形態によれば、毛髪の滑り性をより良好にすることのできるヘアーアイロンを得ることができるようになる。
【０１６８】
また、本実施形態では、毛髪巻付部３０，４０の外周部の表面粗さを把持部２０の表面粗さよりも大きくしているため、毛髪の滑り性をより一層向上させることができるという利点がある。
【０１６９】
以上説明したように、本実施の形態１では、第１の毛髪巻付部３０と第２の毛髪巻付部４０とを閉じた状態において、第１の毛髪挟持面３６ａと第２の毛髪挟持面４６ａとの間に所定の間隔ｄを有するように構成されている。
【０１７０】
これによって、ストレート施術の際や、対向する第１の毛髪挟持面３６ａと第２の毛髪狭持面４６ａとの間に毛髪を挟み込んだ状態から毛髪巻付部３０，４０に毛髪を巻き付けて当該ヘアーアイロン１０を毛先に向かって滑らす、滑らし施術にて行なうカール施術時において、使用時の毛髪を滑らす際に、毛先が一対の毛髪狭時面３６ａ、４６ａに挟まれ、毛切れや痛みを感じてしまうことを抑制することができる。
【０１７１】
また、隙間ｄが大き過ぎることで毛先が抜け易くなり、毛先にカールが付かなくなるという問題を抑制することや、毛先まできれいにストレート施術ができないという問題を抑制することができる。
【０１７２】
したがって、使い勝手のよりよいヘアーアイロン１０を提供することができる。
【０１７３】
また、本実施の形態１では、第１の毛髪巻付部３０と第２の毛髪巻付部４０とを閉じた状態において、第１の毛髪挟持面３６ａと第２の毛髪挟持面４６ａとの間に所定の間隔ｄを有するように第１の毛髪巻付部３０と第２の毛髪巻付部４０とが閉じる方向への相対移動を規制する規制リブ（規制部）４２ｃを形成した。
【０１７４】
これによって、規制部を設けるという簡単な方法により第１の毛髪挟持面３６ａと第２の毛髪挟持面４６ａとの間に所定の間隔ｄを有する構成とすることができる。
【０１７５】
また、本実施の形態１では、規制リブ（規制部）４２ｃは、第１の毛髪巻付部３０および第２の毛髪巻付部４０のうち少なくともいずれか一方である第２の毛髪巻付部４０から第１の毛髪巻付部３０（他方側）に突出するように形成されている。
【０１７６】
これによって、より簡素な構成で第１の毛髪挟持面３６ａと第２の毛髪挟持面４６ａとの間に所定の間隔ｄを形成することができる。
【０１７７】
また、本実施の形態１では、第１の毛髪巻付部３０（第１の毛髪巻付部３０および第２の毛髪巻付部４０のうち少なくともいずれか一方）に、所定の間隔ｄを調整する調整機構３３ａを形成している。
【０１７８】
これによって、施術時に毛髪を滑らす際に適正な押圧力に調整をかけることができるようになり、太さ、毛量、キューティクルのダメージといった使用者個々の毛髪状態のバラツキに対し、使用者個々が自身の毛髪の状態に合わせ、隙間を自由に調整することできるようになる。
【０１７９】
そのため、バラツキ要素の影響を抑制することができるようになって、ストレート、カール両施術をよりスムーズに行うことができるようになる。その結果、使い勝手のよりよいヘアーアイロン１０を提供することができるようになる。
【０１８０】
また、本実施の形態１では、調整機構３３ａは、規制部も兼ねている。
【０１８１】
これによって、ヘアーアイロン１０の構成の簡素化を図ることができるようになる。
【０１８２】
また、本実施の形態１では、調整機構３３ａは、第１の毛髪挟持面３６ａおよび第２の毛髪挟持面４６ａの長手方向の少なくとも一方である先端側（前側）に設けられている。
【０１８３】
これによって、部品や組立バラツキによって第１の毛髪挟持面３６ａと第２の毛髪挟持面４６ａとの間の隙間ｄにバラツキが発生した場合であっても、所定の隙間量を確保することができる。その結果、対向する毛髪狭持面３６ａ、４６ａ間の距離を所定の状態に安定的に確保することが可能となり、ストレート施術時および、毛髪を挟んで滑らす滑らしカール施術の際に、毛髪に必要以上の押圧力がかからないようにすることができる。
【０１８４】
したがって、毛髪への必要以上の過度テンションを抑制することができ、毛髪へのダメージを抑制できることのみならず、毛先が毛髪狭時面に挟まれ、毛切れや痛みを感じることを低減することが可能となり、ストレート、カール両施術において、使用者がスムーズに操作を行うことができるようになる。その結果、使い勝手のよりよいヘアーアイロンを提供することができるようになる。
【０１８５】
また、本実施の形態１では、第１の毛髪挟持面３６ａおよび第２の毛髪挟持面４６ａは、平坦部３６ｂ，４６ｂを有している。
【０１８６】
これによって、第１の毛髪挟持面３６ａと第２の毛髪挟持面４６ａとの間の一部に毛髪が偏ってしまうのを抑制することができ、毛髪をより均等に挟持させることができるようになる。
【０１８７】
また、本実施の形態１では、第１の毛髪挟持面３６ａの全面と第２の毛髪挟持面４６ａの全面との間に所定の間隔ｄが形成されている。
【０１８８】
これによって、第１の毛髪挟持面３６ａと第２の毛髪挟持面４６ａとの間に挟持された毛髪の一部に必要以上の過度テンションがかかってしまうのを抑制することができ、挟持された毛髪の全域により適正なテンションをかけることができるようになる。
【０１８９】
また、本実施の形態１では、第１の毛髪巻付部３０および第２の毛髪巻付部４０は、第１の毛髪挟持面３６ａおよび第２の毛髪挟持面４６ａの短手方向（Ｙ方向）の両端に、第１の毛髪挟持面３６ａおよび第２の毛髪挟持面４６ａの長手方向（Ｙ方向）に沿って配設されている
さらに、第１の毛髪挟持面３６ａおよび第２の毛髪挟持面４６ａの長手方向に沿って視た断面がＲ形状に形成された第１の毛髪狭持部３９および第２の毛髪挟持部４９をそれぞれ備えている。
【０１９０】
そして、第１の毛髪狭持部３９および第２の毛髪挟持部４９のＲ形状は、第１の毛髪挟持面３６ａおよび第２の毛髪挟持面４６ａの長手方向の一方から他方にかけて曲率が変化するように形成されている。
【０１９１】
これによって、滑らし施術の際に発生する、施術毛髪の、根元付近から毛先先端にかけての毛量変化や、ヘアースタイルによる毛量や使用者の毛髪性状変化に対して起こりうる滑らしカール時の毛髪狭持部における毛髪滑り抵抗変化に対して、それぞれの変化に応じて便宜に滑り抵抗低減効果を与えることができる。
【０１９２】
また、カールを強くつけるために必要な毛髪狭持部３９，４９における滑り抵抗に関しては、曲率を変化させることで、一対の毛髪狭持部３９，４９に毛髪を巻きつけた際に、毛先と根元の毛量の違いによるカーリング時の滑り抵抗を変えることができる。その結果、毛髪狭持部での毛髪のしごき、および滑らしがより容易になり、カール施術をよりスムーズに行うことができるようになる。
【０１９３】
また、本実施の形態１では、第１の毛髪狭持部３９のＲ形状は、長手方向において第１の毛髪巻付部３０の先端側から根元側に向けて曲率が大きくなるように形成されており、第２の毛髪狭持部４９のＲ形状は、長手方向において第２の毛髪巻付部４０の先端側から根元側に向けて曲率が大きくなるように形成されている。
【０１９４】
これによって、主に毛先が保持される第１および第２の毛髪巻付部３０，４０の根元側の曲率が大きくなるため、毛先の保持力を上げることができ、毛先までカールを付け易くすることができる。
【０１９５】
また、本実施の形態１では、第１の毛髪巻付部３０および第２の毛髪巻付部４０のうち少なくともいずれか一方には、当該毛髪巻付部３０，４０の毛髪狭持面３６ａ，４６ａの短手方向の両端をそれぞれフロート可能とするフロート機構（フロートばね３５ａ，４５ａ）が形成されている。
【０１９６】
これによって、第１および第２の毛髪狭持面３６ａ、４６ａの間に毛髪を挟み保持力をかける際に、荷重の一点集中を避けることができるため、毛髪の突っ掛かりや髪切れを抑制することができるとともに、施術のバラツキを軽減することができる。その結果、毛髪の滑らしが容易になり、ストレート、カール両施術をよりスムーズに行うことができるようになる。
【０１９７】
ヘアーアイロン１０の構成を上記のようにすれば、操作部５０を操作して離間させた状態で第１および第２の毛髪狭時面３６ａ、４６ａの間に毛髪を挟んで狭持することが可能なヘアーアイロン１０であって、略円形形状の外周面（第１の外周部３８および第２の外周部４８）を有する第１および第２の毛髪巻付部３０，４０を備えるヘアーアイロン１０を用いて、毛髪へのカール施術をよりスムーズに行うことができるようになる。
【０１９８】
また、本実施の形態１では、ヘアーアイロンの使用方法は、使用者によってヘアーアイロン１０の把持部２０を把持するステップ（把持ステップ）と、使用者が操作部５０を操作して一対の毛髪狭持面３６ａ，４６ａを離間させるステップ（離間ステップ）と、離間した一対の毛髪挟持面３６ａ，４６ａの間に毛髪を介在させるステップ（毛髪介在ステップ）と、を備えている。
【０１９９】
さらに、対向する一対の毛髪挟持面３６ａ，４６ａで毛髪を狭持させるステップ（毛髪挟持ステップ）と、毛髪を一対の毛髪挟持面３６ａ，４６ａの間に狭持させた状態で、挟持された部位以外の毛髪を一対の毛髪巻付部３０，４０の外周部（第１の外周部３８または第２の外周部４８）に螺旋状に巻き付けるステップ（毛髪巻付ステップ）と、を備えている。
【０２００】
そして、毛髪を一対の毛髪挟持面３６ａ，４６ａの間に狭持しつつ外周部に巻き付けた状態で、毛髪が一対の毛髪挟持面３６ａ，４６ａの間および外周部を滑るように、ヘアーアイロン１０を毛髪の先端側に引き下ろすことで、毛髪にカール状の施術を施すステップ（引き下ろしステップ）を備えており、こうすることで、毛髪にカール状の癖付けが施される。
【０２０１】
これによって、より簡単な操作によって、使用者の毛髪をより確実にカール形状に施術することができる。
【０２０２】
また、上記の引き下ろしステップにおいて、使用者がつまみ部３３ｐ、４３ｐをつまんだ状態でヘアーアイロン１０を毛髪の先端側に引き下ろすようにしてもよい。
【０２０３】
これによって、より一層確実に、使用者の毛髪をカール形状に施術することができる。
【０２０４】
（実施の形態２）
本実施の形態２にかかるヘアーアイロン１００は、図１２から図１６に示すように、回動連結部１０４を介して略Ｖ字状に拡開可能に連結された上側アーム部１０２および下側アーム部１０３を備えている。そして、上側アーム部１０２と下側アーム部１０３とを回動連結部１０４を介して相対回動させることで、上側アーム部１０２および下側アーム部１０３の先端同士を接離できるようにしている。
【０２０５】
すなわち、本実施の形態２では、上側アーム部１０２と下側アーム部１０３との相対回動に伴って、後述する第１の毛髪挟持面１２２ａと第２の毛髪挟持面１３２ａとを互いに近づけたり遠ざけたりすることができるようにしている。
【０２０６】
また、本実施の形態２では、図１４に示すように、上側アーム部１０２の回動連結部１０４近傍に、下方に開口した筒部１０２ｃが設けられているとともに、下側アーム部１０３の回動連結部１０４近傍に、上方に開口して、筒部１０２ｃ内に挿入可能な筒部１０３ｃが設けられている。
【０２０７】
そして、この筒部１０２ｃと筒部１０３ｃとで形成された空間部には、コイルスプリング１０５が収容されており、このコイルスプリング１０５によって、上側アーム部１０２と下側アーム部１０３とを互いに拡開するように付勢している。また、筒部１０３ｃを筒部１０２ｃ内に挿入させることで、ヘアーアイロン１００を閉じる際に、上側アーム部１０２と下側アーム部１０３とが幅方向にずれてしまうのを抑制している。
【０２０８】
なお、本実施の形態２では、図示せぬストッパによって、上側アーム部１０２と下側アーム部１０３の拡開方向への回動が規制されている。
【０２０９】
また、上側アーム部１０２および下側アーム部１０３の回動連結部１０４側（ヘアーアイロン１００の後側）には、上側把持部（第１の把持部）１０２ａおよび下側把持部（第２の把持部）１０３ａがそれぞれ設けられている。そして、先端側には、上側挟持部（第１の挟持部）１０２ｂおよび下側挟持部（第２の挟持部）１０３ｂがそれぞれ設けられている。
【０２１０】
また、上側挟持部（第１の毛髪巻付部）１０２ｂおよび下側挟持部（第２の毛髪巻付部）１０３ｂは、それぞれ、上側アーム部１０２および下側アーム部１０３を閉じるように回動させた際に互いに近づいたり遠ざかったりすることが可能な上側毛髪挟持面（第１の毛髪挟持面）１２２ａおよび下側毛髪挟持面（第２の毛髪挟持面）１３２ａを有している。
【０２１１】
そして、挟持部の外表面（本実施の形態２では、上側挟持部１０２ｂおよび下側挟持部１０３ｂのそれぞれの外表面）には、図１８に示すように、毛髪をカールさせるためのカール部（第１および第２の毛髪巻付部の外周部）１０２ｄ，１０３ｄが設けられている。
【０２１２】
なお、本実施の形態２では、上側挟持部１０２ｂおよび下側挟持部１０３ｂの外表面とは、上側挟持部１０２ｂおよび下側挟持部１０３ｂの外面のうち、第１の毛髪挟持面１２２ａおよび第２の毛髪挟持面１３２ａの背面側に存在する面のことをいう。
【０２１３】
すなわち、図１８において、上側挟持部１０２ｂの外面のうち下面以外の面、下側挟持部１０３ｂの外面のうち上面以外の面が、それぞれ上側挟持部１０２ｂの外表面、下側挟持部１０３ｂの外表面に相当する。
【０２１４】
さらに、本実施の形態２では、上側挟持部１０２ｂおよび下側挟持部１０３ｂには、図１８に示すように、発熱部としてのヒータ１２３およびヒータ１３３が設けられている。
【０２１５】
そして、第１の毛髪挟持面１２２ａと第２の毛髪挟持面１３２ａとで毛髪を挟み込み、ヒータ１２３およびヒータ１３３で発生させた熱を第１の毛髪挟持面１２２ａおよび第２の毛髪挟持面１３２ａを介して毛髪に加えることで、毛髪にカール状やストレート状の癖付けを施している。
【０２１６】
例えば、毛髪へのカール状の癖付けは、以下のようにして行われる。まず、加熱した上側挟持部１０２ｂおよび下側挟持部１０３ｂを互いに対向させる。そして、上側挟持部１０２ｂと下側挟持部１０３ｂとの間に、上側挟持部１０２ｂおよび下側挟持部１０３ｂの幅方向に延在するように毛髪を配置した状態で、第１の毛髪挟持面１２２ａと第２の毛髪挟持面１３２ａとで毛髪を挟み込む。
【０２１７】
次に、毛髪を挟み込んだ状態でヘアーアイロン１００を回転させて、第１の毛髪挟持面１２２ａと第２の毛髪挟持面１３２ａとで挟み込まれていない根元側の毛髪をカール部１０２ｄまたはカール部１０３ｄに押し当てる。そして、毛髪をカール部１０２ｄまたはカール部１０３ｄに押し当てた状態で、ヘアーアイロン１００を、毛髪に沿って滑らせながら毛先に向けて引き下ろすことで、毛髪にカール状の癖付けが施される。
【０２１８】
なお、毛髪へのストレート状の癖付けは、第１の毛髪挟持面１２２ａと第２の毛髪挟持面１３２ａとで毛髪を挟み込んだヘアーアイロン１００を回転させずに、毛髪に沿って滑らせながら毛先に向けて引き下ろすことで行われる。
【０２１９】
また、上記実施の形態１で示した方法にて毛髪にカール状の癖付けを施すようにしてもよい。
【０２２０】
このように、本実施の形態２にかかるヘアーアイロン１００も、毛髪に熱による癖付けを施すことで整髪を行うものである。
【０２２１】
上述した上側アーム部１０２および下側アーム部１０３は、主に外壁をなすケース１２０およびケース１３０を備えており、ケース１２０およびケース１３０の内部には空洞が形成されており、この空洞内に各種電気部品が収容されている。
【０２２２】
本実施の形態２では、図１８に示すように、下方に開口した上部ケース１２０ａの下端に設けた凹部に、上方に開口した下部ケース１２０ｂの上端に設けた突部を係合させ、溶着や接着、またはネジ等により上部ケース１２０ａおよび下部ケース１２０ｂを一体化させている。こうして、内部に空洞が形成されたケース１２０を形成している。
【０２２３】
また、図１８に示すように、上方に開口した下部ケース１３０ｂの上端側部に設けた溝部に、下方に開口した上部ケース１３０ａの下端側部に設けた突部を嵌合させ、溶着や接着、またはネジ等により上部ケース１３０ａおよび下部ケース１３０ｂを一体化させている。こうして、内部に空洞が形成されたケース１３０を形成している。
【０２２４】
なお、下部ケース１３０ｂの下面面には、化粧プレート１３０ｆが嵌め込まれている。
【０２２５】
また、ケース１２０およびケース１３０の先端部には、突部１２０ｅおよび突部１３０ｅがそれぞれ形成されている。
【０２２６】
さらに、ケース１３０の幅方向両側部には、当該ケース１３０の長手方向に延在する突条１３０ｄが設けられている。
【０２２７】
この突条１３０ｄは、ケース１３０の下側挟持部１０３ｂ側に設けられており、側面視で、前端が毛髪挟持面１３２ａの前側短辺よりも前方に突出するとともに、後端が毛髪挟持面１３２ａの後側短辺よりも後方に突出するように延在している。
【０２２８】
このように、ケース１３０に、長手方向に延在する突条１３０ｄを設けることで、ヘアーアイロン１００の使用時に、ケース１３０と使用者等の頭皮や肌との接触面積を少なくすることができる。また、長手方向に延在する突条１３０ｄを設けることで、ケース１３０の表面積が増加するため、効率的に放熱を行うことができるようになる。すなわち、突条１３０ｄは、放熱部としても機能するものである。
【０２２９】
また、本実施の形態２では、ケース（挟持部本体）１２０およびケース（挟持部本体）１３０に、第１の毛髪挟持面１２２ａを有する毛髪挟持部材１２１および第２の毛髪挟持面１３２ａを有する毛髪挟持部材１３１を支持させている。
【０２３０】
このように、ケース１２０およびケース１３０に、毛髪挟持部材１２１および毛髪挟持部材１３１をそれぞれ支持させることで、上側挟持部（第１の挟持部）１０２ｂおよび下側挟持部（第２の挟持部）１０３ｂを形成している。
【０２３１】
具体的には、毛髪挟持部材１２１および毛髪挟持部材１３１は、略板状のプレート部１２２およびプレート部１３２を備えており、このプレート部１２２およびプレート部１３２の表面に、略平坦状の第１の毛髪挟持面１２２ａおよび第２の毛髪挟持面１３２ａが形成されている。本実施の形態２では、第１の毛髪挟持面１２２ａおよび第２の毛髪挟持面１３２ａは、平面視で、ケース１２０の長手方向に細長い略長方形状に形成されている。
【０２３２】
さらに、プレート部１２２およびプレート部１３２は、幅方向（第１の挟持部および第２の挟持部の幅方向と同一の方向）両端部が、ケース１２０およびケース１３０の内側に向けて屈曲している。そして、第１の毛髪挟持面１２２ａおよび第２の毛髪挟持面１３２ａの幅方向両端には、図１８に示すように、幅方向断面視で、斜め外側に向けて凸となる湾曲面１２２ｄおよび湾曲面１３２ｄがそれぞれ形成されている。
【０２３３】
すなわち、第１の毛髪挟持面１２２ａおよび第２の毛髪挟持面１３２ａは、幅方向中央部の平坦面（平坦部）１２２ｂ，１３２ｂと、当該平坦面１２２ｂ，１３２ｂの幅方向両端に形成される湾曲面１２２ｄ，１３２ｄとで構成されている。
【０２３４】
さらに、プレート部１２２およびプレート部１３２は、幅方向両端部が、ケース１２０およびケース１３０の内側に向けて屈曲しており、第１の毛髪挟持面１２２ａおよび第２の毛髪挟持面１３２ａの幅方向両端には、図１８に示すように、幅方向断面視で、斜め外側に向けて凸となる第１の毛髪挟持部１０２ｅおよび第２の毛髪挟持部１０３ｅがそれぞれ形成されている。
【０２３５】
そして、プレート部１２２およびプレート部１３２の第１の毛髪挟持面１２２ａおよび第２の毛髪挟持面１３２ａの背面側には、ヒータ１２３およびヒータ１３３を収容する収容部１２４および収容部１３４が形成されている。
【０２３６】
本実施の形態２では、プレート部１２２，１３２は、毛髪挟持面側プレート１２２ｂ，１３２ｂおよび背面側プレート１２２ｃ，１３２ｃで構成されており、毛髪挟持面側プレート１２２ｂ，１３２ｂと背面側プレート１２２ｃ，１３２ｃとで形成された空間が収容部１２４，１３４になっている。
【０２３７】
そして、収容部１２４および収容部１３４に収容したヒータ１２３およびヒータ１３３が、それぞれプレート部１２２およびプレート部１３２の内面に当接するようにしている。
【０２３８】
このプレート部１２２およびプレート部１３２は、例えば、銅やアルミニウムなど熱伝導性の高い材料で形成し、毛髪に熱を伝えやすくするのが好ましい。
【０２３９】
また、本実施の形態２では、ヒータ１２３およびヒータ１３３としてＰＴＣヒータ（Positive Temperature Coefficient ヒータ）を用いており、これにより連続的な温度制御が可能となる。なお、本実施の形態２では、ヒータ１２３およびヒータ１３３としてＰＴＣヒータを用いたものを例示したが、これに限らず、ニクロム線ヒータやその他の加熱手段を用いるようにしてもよい。
【０２４０】
また、ヒータ（発熱部）は、上側挟持部（第１の挟持部）１０２ｂおよび下側挟持部（第２の挟持部）１０３ｂのいずれか一方のみに設けられるようにしてもよい。
【０２４１】
また、ケース１２０の挟持部（第１の挟持部１０２ｂ）側の内部には、空間部Ｓ３が形成されており、この空間部Ｓ３内に放電機構２００が設けられている。
【０２４２】
この放電機構２００は、ミストを生成するミスト発生装置や金属微粒子を生成する金属微粒子発生装置を用い、イオン発生装置（ミスト発生装置や金属微粒子発生装置）で生成されたイオン（ミストや金属微粒子）を、イオン放出口１９０から放出できるようにするものである。
【０２４３】
空間部Ｓ３は、ケース１２０に形成されたイオン放出口１９０および液体吸入口１９１によって外部に連通されており、空間部Ｓ３内には、液体吸入口１９１からイオン放出口１９０へと連なる通路１９２が形成されている。
【０２４４】
そして、本実施の形態２では、放電機構２００は、電極を保持する本体部２１０と、本体部２１０の天壁部２１１に形成された突部２１１ａに挿通される挿通孔２２１ａが形成された天壁部２２１を有し、本体部２１０の天壁部２１１に保持される板状電極（第１の放電極）２２０と、本体部２１０の電極固定部２１３に保持される針状電極（第２の放電極）と、を備えている。
【０２４５】
本体部２１０には、幅方向両端に外側に向けて開口する窓部２１２がそれぞれ形成されており、この窓部２１２がイオン放出口１９０に連通している。
【０２４６】
そして、両端の窓部２１２の上部に臨むように、板状電極（第１の放電極）２２０の片部２２１ｂが配置されている。この片部２２１ｂの先端にはスリット２２１ｃが複数形成されている。
【０２４７】
一方、両端の窓部２１２の下部には、板状電極（第１の放電極）２２０や針状電極（第２の放電極）との間で放電を行う対極（電極）２４０が、板状電極（第１の放電極）２２０や針状電極（第２の放電極）と対向するように設けられている。なお、対極２４０を板状電極（第１の放電極）２２０や針状電極（第２の放電極）に対向させる必要はない。
【０２４８】
また、対極２４０を設けず、電極とその近傍にある構成部材との間で放電を行うようにしてもよい。
【０２４９】
板状電極（第１の放電極）２２０や針状電極（第２の放電極）、対極（電極）２４０は、リード線１８１を介して高出力回路１６０に電気的に接続されており、板状電極（第１の放電極）２２０と対極２４０との間、針状電極（第２の放電極）と対極（電極）２４０との間に高電圧を印加して放電（コロナ放電等）を生じさせることができるようになっている。
【０２５０】
また、本実施の形態２では、イオン放出口１９０および液体吸入口１９１は、第１の毛髪挟持面１２２ａの長手方向一端から他端にかけて複数並設されるように形成されている。液体吸入口１９１は、第１の毛髪挟持面１２２ａおよび第２の毛髪挟持面１３２ａで挟まれた毛髪が保持する水分などの液体（その他の例としては、毛髪用トリートメント剤などがあげられる）を空間部Ｓ３内に導入するために形成されている。
【０２５１】
一方、イオン放出口１９０は、板状電極（第１の放電極）２２０と対極２４０との間、針状電極（第２の放電極）と対極（電極）２４０との間で放電を生じさせて生成されたイオン（マイナスイオンやプラスイオン）や帯電微粒子液体を空間部Ｓ３の外部に放出して毛髪（第１の毛髪挟持面１２２ａと第２の毛髪挟持面１３２ａとで挟み込んだ毛髪）に供給できるようにするために形成されている。
【０２５２】
かかる構成とすることで、ヘアーアイロン１００の使用時に、第１の毛髪挟持面１２２ａおよび第２の毛髪挟持面１３２ａで挟まれた毛髪が保持する水分などの液体が液体吸入口１９１から内部に導入されることとなる。
【０２５３】
そして、空間部Ｓ３内に導入された水分などの液体は、板状電極（第１の放電極）２２０や針状電極（第２の放電極）に接触して結露することとなる。このとき、放電極として板状電極２２０を用いることで、電極の露出面積が大きくなり、水分などの液体をより効率的に結露させることができる。
【０２５４】
さらに、板状電極（第１の放電極）２２０は、対極（電極）２４０側に、対極２４０と対向する部位に、複数のスリット２２１ｃを形成している。したがって、板状電極２２０における対極２４０と対向する部位に仮想の針が複数形成されることとなり、高電圧を印加した際には、この仮想の針部分に電界集中を生じさせることができるようになる。その結果、より効率的に放電を行うことが可能となる。
【０２５５】
なお、水分などの液体を結露させない状態で、放電を行い、イオンのみ生成するようにしてもよい。
【０２５６】
また、放電を生じさせる際には、電極間にマイナス電圧を印加してマイナスイオンを発生させるようにしてもよいし、電極間にプラス電圧を印加してプラスイオンを発生させるようにしてもよい。
【０２５７】
また、マイナス電圧とプラス電圧を交互に印加して、マイナスイオンとプラスイオンを交互に発生させるようにしてもよいし、複数の電極のいずれかにマイナス電圧を印加し、その他の電極のいずれかにプラス電圧を印加することで、マイナスイオンとプラスイオンを同時に発生させるようにしてもよい。
【０２５８】
なお、イオンや帯電微粒子液体を生成する装置として、ミストを生成するミスト発生装置や金属微粒子を生成する金属微粒子発生装置を用いることも可能である。
【０２５９】
ミスト発生装置としては、高電圧発生回路からグランド電極を基準として放電極に高電圧を印加して放電（コロナ放電等）を生じさせ、放電作用によって結露水を微粒化する装置を用いることができる。この装置を用い、放電作用によって結露水を微粒化することで、ナノメータサイズの非常に細かいミスト（マイナスイオンを含むマイナスに帯電されたミスト）を生成することができる。
【０２６０】
なお、結露水を生じさせるものとして、ペルチェ素子および熱伝導性を有する部材（例えば金属部材等）からなる冷却板と、冷却板を冷却する際に発生する熱量を放熱する放熱フィンとを備える公知のものを用いることも可能である。
【０２６１】
また、金属微粒子発生装置としては、高電圧発生回路からグランド電極を基準として放電極に高電圧を印加して放電（コロナ放電等）を生じさせるものを用いることができる。この装置を用い、放電（コロナ放電等）を生じさせることで、放電極やグランド電極等から金属微粒子（金属の分子やイオン等）を放出させることができる。
【０２６２】
このような金属微粒子発生装置としても公知のものを用いることができる。例えば、金属微粒子発生装置の放電極を、遷移金属（例えば、金、銀、銅、白金、亜鉛、チタン、ロジウム、パラジウム、イリジウム、ルテニウム、オスミウム等）の単体、合金、あるいは遷移金属をメッキ処理した部材等で構成することが可能である。
【０２６３】
ここで、放電部で生成され放出された金属の微粒子に、金や、銀、銅、亜鉛等が含まれている場合には、当該金属の微粒子によって抗菌作用を生じさせることができる。また、金属の微粒子に、白金、亜鉛、チタン等が含まれている場合には、当該金属の微粒子によって抗酸化作用を生じさせることができる。
【０２６４】
なお、白金の微粒子は、抗酸化作用が極めて高いことが判明している。また、金属微粒子の放出をさせない部分（例えばグランド電極等）は、ステンレススチールや、タングステン等を用いて構成することができる。
【０２６５】
また、放電部は、放電作用によってイオン（例えばマイナスイオン、例えばＮＯ２−、ＮＯ３−等）を生じさせ、このイオンを、放電極や、グランド電極、他の金属材料や金属成分を含む部材等に衝突させることで、金属微粒子を生成するものであってもよい。すなわち、グランド電極や上記他の部材を、上記遷移金属を含む材料によって構成し、これらから金属微粒子を放出させるようにしてもよい。
【０２６６】
さらに、ケース１３０の内部には、ヒータ１２３およびヒータ１３３の温度等を制御する制御装置１５０が収容されており、この制御装置１５０にヒータ１２３およびヒータ１３３がリード線１８１を介して接続されている。また、本実施の形態２では、第１の毛髪挟持面１２２ａおよび第２の毛髪挟持面１３２ａの温度を段階的に設定できるようにしている。
【０２６７】
また、ヘアーアイロン１００の後端部１００ａからは、回転コネクタ１０１ａを介して電源コード１０１ｂが取り付けられており、電源コード１０１ｂはリード線１８１を介して制御装置１５０に電気的に接続されている（図１６参照）。
【０２６８】
また、ヘアーアイロン１００の後端部１００ａには、ロックボタン１２５が形成されており、ロックボタン１２５を操作（押圧）することで、上側アーム部１０２と下側アーム部１０３とを閉じた状態で保持できるようになっている。
【０２６９】
すなわち、ヘアーアイロン１００は、コイルスプリング１０５の付勢力によって上側アーム部１０２と下側アーム部１０３とが互いに拡開してしまうのを、ロックボタン１２５の操作によって規制できるようになっている。
【０２７０】
そして、ケース１３０の下側把持部１０３ａ側には、操作スイッチ１０６が設けられており、この操作スイッチ１０６を操作することで、ヒータ１２３およびヒータ１３３に対する通電のオン・オフを切り換えることができるようになっている。この操作スイッチ１０６の操作によってヒータ１２３およびヒータ１３３を通電させると当該ヒータ１２３およびヒータ１３３が発熱する。
【０２７１】
そして、この発熱したヒータ１２３およびヒータ１３３からプレート部１２２およびプレート部１３２に熱が伝達されることで、プレート部１２２およびプレート部１３２が加熱される。
【０２７２】
さらに、本実施の形態２では、図１６に示すように、プレート部１３２の背面１３２ｅにサーミスタ１８３が取り付けられており、ヒータ１３３の温度変化に伴って変化するサーミスタ１８３の抵抗値を利用して、ヒータ１２３およびヒータ１３３の温度を制御している。
【０２７３】
なお、符号１８２はヒューズであり、このヒューズ１８２を設けることで、制御装置１５０の破損等により第１の毛髪挟持面１２２ａや第２の毛髪挟持面１３２ａの温度が所定の温度を超えてしまった場合に、ヒータ１２３およびヒータ１３３への通電が遮断されるようにしている。
【０２７４】
また、ケース１３０の下側把持部１０３ａ側には、温度調節スイッチ１０６ａ、１０６ｂが設けられており、この温度調節スイッチ１０６ａ、１０６ｂを操作することで、第１の毛髪挟持面１２２ａおよび第２の毛髪挟持面１３２ａの設定温度を切り換えることができるようになっている。そして、ケース１３０には、図示せぬＬＥＤランプによって点灯する導光部材１０７が設けられている。
【０２７５】
また、ケース１３０の内部には、ヒータ１２３およびヒータ１３３の温度等を制御する制御装置１５０が収容されており、この制御装置１５０にヒータ１２３およびヒータ１３３がリード線１８１を介して接続されている。また、本実施形態では、第１の毛髪挟持面１２２ａおよび第２の毛髪挟持面１３２ａの温度を段階的に設定できるようにしている。
【０２７６】
なお、ケース１２０、１３０内の空洞は、図１８に示すように、制御装置１５０とプレート部１２２、１３２との間で、リード線１８１を挿通させるための挿通孔１７１が設けられたパッキング１７０によって画成されており、このパッキング１７０を設けることで制御装置１５０の防水効果を高めている。
【０２７７】
また、本実施の形態２では、ヘアーアイロン１００は、上側挟持部１０２ｂの下側挟持部１０３ｂ側への相対移動を規制する規制部材を備えている。
【０２７８】
具体的には、ケース１２０の上側把持部１０２ａ側下部に、下方に向けて突出するストッパ突起１４０を設けるとともに、ケース１３０にストッパ溝部（図示せず）を設け、ストッパ突起１４０の先端をストッパ溝部１４１の底面に当接させることで、上側アーム部１０２と下側アーム部１０３との閉じる方向への回動を規制している。
【０２７９】
また、上側挟持部１０２ｂにおける第１の毛髪挟持面１２２ａの根元側（後方：長手方向一方側）と先端側（前方：長手方向他方側）とには、第１の毛髪挟持面１２２ａと第２の毛髪挟持面１３２ａとで挟持した毛髪が前後方向にばらけてしまうのを抑制する突起部（突部）１２０ｃ、１３０ｃが設けられている。
【０２８０】
本実施の形態２では、突起部１２０ｃは、第１の毛髪挟持面１２２ａの前部と後部の幅方向両端にそれぞれ２つずつ設けられている。
【０２８１】
また、突起部１３０ｃは、第２の毛髪挟持面１３２ａの前部と後部の幅方向両端にそれぞれ２つずつ設けられている。
【０２８２】
なお、毛髪を整流するための突起部は、第１の毛髪挟持面１２２ａおよび第２の毛髪挟持面１３２ａのいずれかの前方に設けられていればよい。
【０２８３】
また、毛髪挟持部材１２１，１３１の少なくともいずれか一方を、ケース（挟持部本体）１２０，１３０に対して上下方向（毛髪挟持面の法線方向）に相対的に往復移動可能に支持するのが好ましい。
【０２８４】
本実施の形態２では、毛髪挟持部材１２１，１３１のうち少なくともいずれか一方である毛髪挟持部材１３１の４隅を、ケース１３０内に配置された４個のフロートばね１０９にて支持することで、毛髪挟持部材１３１をケース１３０に対して上下移動できるようにしている。
【０２８５】
こうすれば、上側毛髪挟持面（第１の毛髪挟持面）１２２ａと下側毛髪挟持面（第２の毛髪挟持面）１３２ａとの間に挟み込まれた毛髪に過度の負荷がかかってしまうのが抑制され、毛髪へのダメージを抑制することができるようになる。
【０２８６】
なお、上側挟持部１０２ｂおよび下側挟持部１０３ｂ（第１および第２の毛髪巻付部）のうち少なくともいずれか一方に、上側挟持部１０２ｂおよび下側挟持部１０３ｂ（第１および第２の毛髪巻付部）の毛髪狭持面１２２ａ，１３２ａの短手方向の両端をそれぞれフロート可能とするフロート機構を形成するようにしてもよい。
【０２８７】
具体的には、第１の毛髪挟持面１２２ａおよび第２の毛髪挟持面１３２ａの長手方向に沿って視た際に、毛髪狭持面１２２ａ，１３２ａの短手方向両端がいずれか一方が上方に、他方が下方に移動するように毛髪狭持面１２２ａ，１３２ａフロートさせるようにしてもよい。
【０２８８】
そして、本実施の形態２においても、上側アーム部１０２と下側アーム部１０３とを閉じた状態において、第１の毛髪挟持面１２２ａと第２の毛髪挟持面１３２ａとの間に所定の間隔ｄを有するように構成されている。
【０２８９】
具体的には、上側アーム部１０２と下側アーム部１０３とを閉じた状態において、第１の毛髪挟持面１２２ａと第２の毛髪挟持面１３２ａとの間に所定の間隔ｄを有するように上側アーム部１０２と下側アーム部１０３とが閉じる方向への相対移動を規制する規制リブ１４０を形成している。
【０２９０】
この規制リブ１４０も、上側アーム部１０２と下側アーム部１０３のうち少なくともいずれか一方である下側アーム部１０３から上側アーム部１０２（他方側）に突出するように形成されている。
【０２９１】
なお、本実施の形態２においても、上側アーム部１０２と下側アーム部１０３のうち少なくともいずれか一方に、所定の間隔ｄを調整する調整機構を形成するようにしてもよい。
【０２９２】
さらに、本実施の形態２においても、第１の毛髪挟持面１２２ａと第２の毛髪挟持面１３２ａとを最も近づけた状態においても、第１の毛髪挟持面１２２ａと第２の毛髪挟持面１３２ａとの間に所定の間隔ｄが形成されるようにしている。
【０２９３】
すなわち、第１の毛髪挟持面１２２ａと第２の毛髪挟持面１３２ａとを最も近づけた状態においても、第１の毛髪挟持面１２２ａの全面と第２の毛髪挟持面１３２ａの全面との間に所定の間隔ｄが形成されるようにしている。
【０２９４】
また、第１の毛髪挟持部１０２ｅおよび第２の毛髪挟持部１０３ｅのＲ形状を、第１の毛髪挟持面１２２ａおよび第２の毛髪挟持面１３２ａの長手方向の一方から他方にかけて曲率が変化するように形成してもよい。このとき、先端側から根元側に向けて曲率が大きくなるように形成することも可能である。
【０２９５】
ここで、上記構成のヘアーアイロン１００を用いた場合の作用の一例を説明する。
【０２９６】
まず、操作スイッチ１０６を操作することで、ヒータ１２３およびヒータ１３３に対する通電をオンにし、第１の毛髪挟持面１２２ａと第２の毛髪挟持面１３２ａとを所定温度（例えば、１７０℃）となるように加熱する。
【０２９７】
このとき、板状電極（第１の放電極）２２０と対極２４０との間、針状電極（第２の放電極）と対極（電極）２４０との間に高電圧が印加され、放電（コロナ放電等）が生じ、イオン（マイナスイオンやプラスイオン）や帯電微粒子液体が生成される。そして、生成されたイオン（マイナスイオンやプラスイオン）や帯電微粒子液体がイオン放出口１９０から放出される。
【０２９８】
かかる状態で、毛髪を第１の毛髪挟持面１２２ａと第２の毛髪挟持面１３２ａとの間に挟み込み、毛髪を挟んだ状態でヘアーアイロン１００を半回転以上させて、第１の毛髪挟持面１２２６ａと第２の毛髪挟持面１３２ａとで挟み込まれていない部位の毛髪を毛髪巻付部に螺旋状に巻き付ける。
【０２９９】
そして、毛髪を毛髪巻付部に押し当てた状態で、ヘアーアイロン１００を、毛髪に沿って滑らせながら毛先に向けて引き下ろすことで、毛髪にカール状の癖付けが施される。このとき、毛髪は、生成されたイオン（マイナスイオンやプラスイオン）や帯電微粒子液体が供給されながらカール状の癖付けが施される。そのため、毛髪が施術により傷んでしまうのを抑制することができる。
【０３００】
以上説明したように、本実施の形態２によっても、上記実施の形態１とほぼ同様の作用効果を奏することができる。
【０３０１】
以上、本発明の好適な実施形態について説明したが、本発明は上記実施の形態には限定されず、種々の変形が可能である。
【０３０２】
例えば、放電機構２００を上記実施の形態１に適用することも可能である。
【０３０３】
また、第１の毛髪挟持面と第２の毛髪挟持面とが当接可能なヘアーアイロンに放電機構２００を適用することも可能である。
【０３０４】
また、把持部や毛髪巻付部、その他細部のスペック（形状、大きさ、レイアウト等）も適宜に変更可能である。
【産業上の利用可能性】
【０３０５】
以上のように、本発明にかかるヘアーアイロンは、ことができるため、例えば、ペット用のヘアーアイロンまたは衣料等に用いられる化学繊維の加工装置におけるアイロンの用途に適用され得る。
【符号の説明】
【０３０６】
１０，１００  ヘアーアイロン
２０  把持部
３０  上側毛髪巻付部（第１の毛髪巻付部）
３５  毛髪挟持部材
３５ａ  フロートばね
３６ａ  上側毛髪挟持面（第１の毛髪挟持面側）
３６ｂ  平坦面（平坦部）
３８  カール部（第１の外周部）
３９  湾曲面（第１の毛髪挟持部）
３３ａ  調整機構
３３ｐ  つまみ部
４０  下側毛髪巻付部（第２の毛髪巻付部）
４５  毛髪挟持部材
４５ａ  フロートばね
４６ａ  下側毛髪挟持面（第２の毛髪挟持面側）
４６ｂ  平坦面（平坦部）
４８  カール部（第２の外周面）
４９  湾曲面（第２の毛髪挟持部）
４２ｃ  規制リブ（規制部）
４３ｐ  つまみ部
５０  操作部
ｄ  隙間
【図１】
2015104448.tif 000003
【図２】
2015104448.tif 000004
【図３】
2015104448.tif 000005
【図４】
2015104448.tif 000006
【図５】
2015104448.tif 000007
【図６】
2015104448.tif 000008
【図７】
2015104448.tif 000009
【図８】
2015104448.tif 000010
【図９】
2015104448.tif 000011
【図１０】
2015104448.tif 000012
【図１１】
2015104448.tif 000013
【図１２】
2015104448.tif 000014
【図１３】
2015104448.tif 000015
【図１４】
2015104448.tif 000016
【図１５】
2015104448.tif 000017
【図１６】
2015104448.tif 000018
【図１７】
2015104448.tif 000019
【図１８】
2015104448.tif 000020
【図１９】
2015104448.tif 000021
【図２０】
2015104448.tif 000022
【図２１】
2015104448.tif 000023
【図２２】
2015104448.tif 000024
【図２３】
2015104448.tif 000025
【図２４】
2015104448.tif 000026
【図２５】
2015104448.tif 000027